(57)【要約】【課題】本発明の課題は、画質調整後の画像データの汎用性を損なうことなく、各画像データに応じた黒の領域の「しまり」や「にじみ」を容易に調整し、良好な画質のプリントを得る。【解決手段】画像データを取得する画像入力部と、前記画像入力部より取得した画像データについて所定の処理を行う画像処理部と、前記画像処理部から出力された画像データよりＬＵＴを介して得た出力データに基づいてプリントを作成する画像記録部と、画像の特定の濃度域の濃度を変更するための操作部と、前記操作部からの濃度変更の指示に応じて前記画像記録部に備えられたＬＵＴの変更を行う制御部と、を備えることを特徴とする画像記録装置。【選択図】図７
2006103303.tif 000002
【特許請求の範囲】
【請求項１】
画像データを取得する画像入力部と、
前記画像入力部より取得した画像データについて所定の処理を行う画像処理部と、
前記画像処理部から出力された画像データよりＬＵＴを介して得た出力データに基づいてプリントを作成する画像記録部と、
画像の特定の濃度域の濃度を変更するための操作部と、
前記操作部からの濃度変更の指示に応じて前記画像記録部に備えられたＬＵＴの変更を行う制御部と、
を備えることを特徴とする画像記録装置。
【請求項２】
画像データの入力メディアの種類毎に前記操作部による濃度変更指示が可能であることを特徴とする請求項１に記載の画像記録装置。
【請求項３】
前記操作部を操作することにより設定情報を入力して濃度変更指示をすることが可能であることを特徴とする請求項１又は請求項２に記載の画像記録装置。
【請求項４】
前記操作部を操作することにより現像機器の稼動状態情報を入力して、前記操作部による濃度変更指示が可能であることを特徴とする請求項１又は請求項２に記載の画像記録装置。
【請求項５】
前記操作部を操作することによりＬＵＴの詳細設定を変更することが可能であることを特徴とする請求項１から請求項４のいずれか一項に記載の画像記録装置。
【請求項６】
画像を記録するために必要な情報を表示する表示部を備え、前記表示部においては前記画像処理部から出力された画像データに基づく画像を表示するとともに、前記操作部による濃度変更指示が可能であることを特徴とする請求項１から請求項５のいずれか一項に記載の画像記録装置。
【請求項７】
画像を記録するために必要な情報を表示する表示部を備え、前記表示部に設定情報、現像機器の稼動状態情報、又はＬＵＴの変更を行う際の詳細設定に関する情報の少なくとも一つを表示させるとともに、前記操作部による濃度変更指示が可能であることを特徴とする請求項１から請求項６のいずれか一項に記載の画像記録装置。
【請求項８】
画像データを取得する画像入力部と、
前記画像入力部より取得した画像データについて所定の処理を行う画像処理部と、
前記画像処理部から出力された画像データよりＬＵＴを介して得た出力データに基づいてプリントを作成する画像記録部と、
画像関連情報に基づいて画像の特定の濃度域の濃度の変更の要否を判定し、その判定結果に基づいて前記画像記録部に備えられたＬＵＴの変更を行う制御部と、
を備えることを特徴とする画像記録装置。
【請求項９】
画像の特定の濃度域の濃度を変更するための操作部を備え、前記操作部を操作することによりＬＵＴの詳細設定を変更することが可能であることを特徴とする請求項８に記載の画像記録装置。
【請求項１０】
前記画像関連情報は画像データの分類、設定情報又は現像機器の稼動状態情報の少なくとも一つであることを特徴とする請求項８又は請求項９に記載の画像記録装置。
【請求項１１】
前記制御部は画像データの内容を判別して画像データの分類を行うことを特徴とする請求項１０に記載の画像記録装置。
【請求項１２】
前記設定情報は、感光材料の種類、現像の種類又は感光材料の現像機器内での搬送速度の少なくとも一つであることを特徴とする請求項３又は請求項１０に記載の画像記録装置。
【請求項１３】
前記設定情報が感光材料の種類に関するものである場合に、前記制御部は、前記設定情報を感光材料が収納されたマガジンから取得することを特徴とする請求項１２に記載の画像記録装置。
【請求項１４】
露光現像処理部を備え、前記設定情報が現像の種類に関するものである場合に、前記制御部は前記設定情報を前記露光現像処理部から取得することを特徴とする請求項１２に記載の画像記録装置。
【請求項１５】
前記設定情報が前記露光現像処理部内における感光材料の搬送速度である場合に、前記制御部は、前記設定情報を前記露光現像処理部から取得することを特徴とする請求項１２に記載の画像記録装置。
【請求項１６】
前記制御部は、実質的にＬＵＴの一部のみを変更することを特徴とする請求項１から請求項１５のいずれか一項に記載の画像記録装置。
【請求項１７】
前記特定の濃度域が高濃度域であることを特徴とする請求項１から請求項１６のいずれか一項に記載の画像記録装置。
【請求項１８】
前記画像記録部は少なくとも２色の記録色を用い、かつ前記制御部は前記画像記録部の記録色の少なくとも２色の濃度を変更するようにＬＵＴ変更を制御することを特徴とする請求項１から請求項１７のいずれか一項に記載の画像記録装置。
【請求項１９】
前記制御部は、少なくとも二つのＬＵＴの中からＬＵＴを選択することによりＬＵＴの変更を行うことを特徴とする請求項１から請求項１８のいずれか一項に記載の画像記録装置。
【請求項２０】
前記画像記録部は、ハロゲン化銀カラー感光材料に記録することを特徴とする請求項１から請求項１９のいずれか一項に記載の画像記録装置。
【請求項２１】
前記画像記録部は、熱転写記録材料に記録することを特徴とする請求項１から請求項１９のいずれか一項に記載の画像記録装置。
【請求項２２】
画像データを取得する画像入力工程と、
前記画像入力工程より取得した画像データについて所定の処理を行う画像処理工程と、
前記画像処理工程から出力された画像データよりＬＵＴを介して得た出力データに基づいてプリントを作成する画像記録工程と、
プリント画像の特定の濃度域の濃度を変更するための操作工程と、
前記操作工程からの濃度変更の指示に応じて前記画像記録工程においてＬＵＴの変更を行うＬＵＴ変更工程と、
を備えることを特徴とする画像記録方法。
【請求項２３】
前記操作工程においては、画像データの入力メディアの種類毎に濃度変更指示が可能であることを特徴とする請求項２２に記載の画像記録方法。
【請求項２４】
前記操作工程において設定情報を入力して濃度変更指示をすることが可能であることを特徴とする請求項２２又は請求項２３に記載の画像記録方法。
【請求項２５】
前記操作工程において現像機器の稼動状態情報を入力して濃度変更指示が可能であることを特徴とする請求項２２又は請求項２３に記載の画像記録方法。
【請求項２６】
前記操作工程においてＬＵＴの詳細設定を変更することが可能であることを特徴とする請求項２２から請求項２５のいずれか一項に記載の画像記録方法。
【請求項２７】
画像を記録するために必要な情報を表示する表示工程を備え、前記表示工程においては前記画像処理工程から出力された画像データに基づく画像を表示するとともに、前記操作工程において濃度変更指示が可能であることを特徴とする請求項２２から請求項２６のいずれか一項に記載の画像記録方法。
【請求項２８】
画像を記録するために必要な情報を表示する表示工程を備え、前記表示工程においては、設定情報、現像機器の稼動状態情報、又はＬＵＴの変更を行う際の詳細設定に関する情報の少なくとも一つを表示するとともに、前記操作工程において濃度変更指示が可能であることを特徴とする請求項２２又は請求項２７に記載の画像記録方法。
【請求項２９】
画像データを取得する画像入力工程と、
前記画像入力工程において取得した画像データについて所定の処理を行う画像処理工程と、
前記画像処理工程において処理された画像データよりＬＵＴを介して得た出力データに基づいてプリントを作成する画像記録工程と、
画像関連情報に基づいて特定の濃度域の濃度の変更の要否を判定し、その判定結果に基づいて前記画像記録工程においてＬＵＴの変更を行うＬＵＴ変更工程と、
を備えることを特徴とする画像記録方法。
【請求項３０】
画像の特定の濃度域の濃度を変更するための操作工程を備え、前記操作工程においてＬＵＴの詳細設定を変更することが可能であることを特徴とする請求項２９に記載の画像記録方法。
【請求項３１】
前記画像関連情報は画像データの分類、設定情報又は現像機器の稼動状態情報の少なくとも一つであることを特徴とする請求項２９又は請求項３０に記載の画像記録方法。
【請求項３２】
前記ＬＵＴ変更工程においては画像データの内容を判別して画像データの分類を行うことを特徴とする請求項３１に記載の画像記録方法。
【請求項３３】
前記設定情報は、感光材料の種類、現像の種類又は感光材料の現像機器内での搬送速度の少なくとも一つであることを特徴とする請求項２４又は請求項３１に記載の画像記録方法。
【請求項３４】
前記設定情報が感光材料の種類に関するものである場合に、前記ＬＵＴ変更工程においては、前記設定情報を感光材料が収納されたマガジンから取得することを特徴とする請求項３３に記載の画像記録方法。
【請求項３５】
露光現像処理工程を備え、前記設定情報が現像の種類に関するものである場合に、前記ＬＵＴ変更工程においては前記設定情報を前記露光現像処理工程から取得することを特徴とする請求項３３に記載の画像記録方法。
【請求項３６】
前記設定情報が前記露光現像処理工程における感光材料の現像機器内での搬送速度である場合に、前記ＬＵＴ変更工程においては前記設定情報を前記露光現像処理工程から取得することを特徴とする請求項３３に記載の画像記録方法。
【請求項３７】
前記ＬＵＴ変更工程においては、実質的にＬＵＴの一部のみを変更することを特徴とする請求項２２から請求項３６のいずれか一項に記載の画像記録方法。
【請求項３８】
前記特定の濃度域が高濃度域であることを特徴とする請求項２２から請求項３７のいずれか一項に記載の画像記録方法。
【請求項３９】
前記画像記録工程においては、少なくとも２色の記録色を用い、かつ前記ＬＵＴ変更工程においては、前記画像記録工程の記録色の少なくとも２色の濃度を変更するようにＬＵＴを変更することを特徴とする請求項２２から請求項３８のいずれか一項に記載の画像記録方法。
【請求項４０】
前記ＬＵＴ変更工程においては、少なくとも二つのＬＵＴの中からＬＵＴを選択することによりＬＵＴの変更を行うことを特徴とする請求項２２から請求項３９のいずれか一項に記載の画像記録方法。
【請求項４１】
前記画像記録工程においては、ハロゲン化銀カラー感光材料に記録することを特徴とする請求項２２から請求項４０のいずれか一項に記載の画像記録方法。
【請求項４２】
前記画像記録工程においては、熱転写記録材料に記録することを特徴とする請求項２２から請求項４０のいずれか一項に記載の画像記録方法。
【請求項４３】
コンピュータに、
画像データを取得する画像入力手順、
前記画像入力手順より取得した画像データについて所定の処理を行う画像処理手順、
前記画像処理手順から出力された画像データよりＬＵＴを介して得た出力データに基づいてプリントを作成する画像記録手順、
画像の特定の濃度域の濃度を変更する操作に応じて前記画像記録手順においてＬＵＴの変更を行うＬＵＴ変更手順、
を実行させるための画像記録プログラム。
【請求項４４】
前記ＬＵＴ変更手順は、画像データの入力メディアの種類毎に濃度を変更することが可能であることを特徴とする請求項４３に記載の画像記録プログラム。
【請求項４５】
前記ＬＵＴ変更手順は、入力される設定情報に応じて濃度を変更することが可能であることを特徴とする請求項４３又は請求項４４に記載の画像記録プログラム。
【請求項４６】
前記ＬＵＴ変更手順は、入力される現像機器の稼動状態情報に応じて濃度を変更することが可能であることを特徴とする請求項４３又は請求項４４に記載の画像記録プログラム。
【請求項４７】
前記ＬＵＴ変更手順は、ＬＵＴの詳細設定を変更することが可能であることを特徴とする請求項４３から請求項４６のいずれか一項に記載の画像記録プログラム。
【請求項４８】
画像を記録するために必要な情報を表示する表示手順を備え、前記表示手順においては前記画像処理手順から出力された画像データに基づく画像を表示するとともに、前記ＬＵＴ変更手順は、画像の特定の濃度域の濃度を変更する操作に応じて濃度を変更することが可能であることを特徴とする請求項４３から請求項４７のいずれか一項に記載の画像記録プログラム。
【請求項４９】
画像を記録するために必要な情報を表示する表示手順を備え、前記表示手順においては、設定情報、現像機器の稼動状態情報、又はＬＵＴの変更を行う際の詳細設定に関する情報の少なくとも一つを表示するとともに、前記ＬＵＴ変更手順は、画像の特定の濃度域の濃度を変更する操作に応じて濃度を変更することが可能であることを特徴とする請求項４３から請求項４８のいずれか一項に記載の画像記録プログラム。
【請求項５０】
コンピュータに、
画像データを取得する画像入力手順、
前記画像入力手順において取得した画像データについて所定の処理を行う画像処理手順、
前記画像処理手順において処理された画像データよりＬＵＴを介して得た出力データに基づいてプリントを作成する画像記録手順、
画像関連情報に基づいて特定の濃度域の濃度の変更の要否を判定し、その判定結果に基づいて前記画像記録手順においてＬＵＴの変更を行うＬＵＴ変更手順、
を実行させるための画像記録プログラム。
【請求項５１】
前記ＬＵＴ変更手順は、画像の特定の濃度域の濃度を変更する操作に応じてＬＵＴの詳細設定を変更することが可能であることを特徴とする請求項５０に記載の画像記録プログラム。
【請求項５２】
前記画像関連情報は画像データの分類、設定情報又は現像機器の稼動状態情報の少なくとも一つであることを特徴とする請求項５０又は請求項５１に記載の画像記録プログラム。
【請求項５３】
前記ＬＵＴ変更手順は、画像データの内容を判別して画像データの分類を行うことを特徴とする請求項５２に記載の画像記録プログラム。
【請求項５４】
前記設定情報は、感光材料の種類、現像の種類又は感光材料の現像機器内での搬送速度の少なくとも一つであることを特徴とする請求項４５又は請求項５２に記載の画像記録プログラム。
【請求項５５】
前記設定情報が感光材料の種類に関するものである場合に、前記ＬＵＴ変更手順においては、前記設定情報を感光材料が収納されたマガジンから取得することを特徴とする請求項５４に記載の画像記録プログラム。
【請求項５６】
露光現像処理手順を備え、前記設定情報が現像の種類に関するものである場合に、前記ＬＵＴ変更手順は前記設定情報を前記露光現像処理手順から取得することを特徴とする請求項５４に記載の画像記録プログラム。
【請求項５７】
前記設定情報が前記露光現像処理手順における感光材料の現像機器内での搬送速度である場合に、前記ＬＵＴ変更手順は前記設定情報を前記露光現像処理手順から取得することを特徴とする請求項５４に記載の画像記録プログラム。
【請求項５８】
前記ＬＵＴ変更手順は、実質的にＬＵＴの一部のみを変更することを特徴とする請求項４３から請求項５７のいずれか一項に記載の画像記録プログラム。
【請求項５９】
前記特定の濃度域が高濃度域であることを特徴とする請求項４３から請求項５８のいずれか一項に記載の画像記録プログラム。
【請求項６０】
前記画像記録手順は、少なくとも２色の記録色を用い、かつ前記ＬＵＴ変更手順は、前記画像記録手順の記録色の少なくとも２色の濃度を変更するようにＬＵＴを変更することを特徴とする請求項４３から請求項５９のいずれか一項に記載の画像記録プログラム。
【請求項６１】
前記ＬＵＴ変更手順は、少なくとも二つのＬＵＴの中からＬＵＴを選択することによりＬＵＴの変更を行うことを特徴とする請求項４３から請求項６０のいずれか一項に記載の画像記録プログラム。
【請求項６２】
前記画像記録手順は、ハロゲン化銀カラー感光材料に記録することを特徴とする請求項４３から請求項６１のいずれか一項に記載の画像記録プログラム。
【請求項６３】
前記画像記録手順は、熱転写記録材料に記録することを特徴とする請求項４３から請求項６１のいずれか一項に記載の画像記録プログラム。
【発明の詳細な説明】
【技術分野】
【０００１】
本発明は、画像データをプリントする画像記録装置、画像記録方法、及び画像記録プログラムに係り、特に、画像記録装置の画像記録部においてＬＵＴを変更して画像濃度を調整することで画質を容易に調整することができる画像記録装置、画像記録方法、及び画像記録プログラムに関するものである。
【背景技術】
【０００２】
撮影済みの写真フィルムを顧客から預かり、現像等をミニラボで行うサービスが写真店等で一般的に行われてきたが、近年、ＤＳＣ（Digital Still Camera）（以下「デジタルカメラ」という）が急速に普及し写真業界においても急速にデジタル化が進んだため、従来のミニラボに代わってデジタルミニラボが普及してきている。
【０００３】
画像記録装置であるデジタルミニラボは、従来の写真フィルムだけではなく、プリント原稿、デジタルカメラの撮像データ及び各種記録メディアのデータなど種々の入力メディアからも、従来のミニラボと同等の速度で高画質で、ハロゲン化銀カラー印画紙にプリントするものである。また、プリントだけでなく、ＣＤ等の記録メディアに画像を書き込むことも行う。
【０００４】
ユーザは、フィルム、プリント原稿、デジタルカメラや画像データが入った各種記録メディア等を店頭に持ち込み、店頭や郵送でプリントやＣＤを受け取り、従来のようにプリント鑑賞したり、ＣＤに記録された画像をモニタで鑑賞したり、また、ＣＤから自宅のＰＣを介してインクジェットプリンタ等でプリントしたりしている。また、近年では、ホームページからプリントの注文を行い、ユーザがデジタルカメラで撮影等の各種画像データをネットワークで送る方法も知られている。
【０００５】
デジタルミニラボに関し、より詳しくは、画像入力部においてネガフィルム、リバーサルフィルム等を透過スキャナで画像データとして入力し、プリント原稿等を反射スキャナで画像データとして入力し、デジタルカメラの撮影データをＵＳＢやネットワーク等の通信や各種記録メディアを介して入力し、またその他のデジタル画像に関しても、ネットワーク等の通信や各種記録メディアを介して入力し、入力された画像データに関して、画像処理部において、濃度変換、色補正、シャープネス強調及びノイズ抑制等の各種画質調整を行い、適切な画質に仕上がった画像データを画像記録部においてプリントする。
【０００６】
また、適切な画質に仕上がった画像データは、汎用画像データとして各種記録メディアに記録したり、通信で送られたりして、モニタで鑑賞されたり他のプリンタでプリントされたりする。上記のように適切な画質に仕上げることを「絵作り」とも呼ぶ。
【０００７】
「絵作り」は、例えば、オペレータがモニタに画像データを表示させて、画像を見ながら、専用キーで色調、濃度補正及びシャープネス補正を行う等が知られている（特許文献１参照）。
【０００８】
画像記録部においては、アレイ光源、レーザー及びＣＲＴ（Cathode Ray Tube）などにより、ハロゲン化銀カラー感光材料にデジタル画像データを露光して現像処理を行うことにより高画質プリントを得ている。
【０００９】
そして、適切なプリントを得るために画像記録部においても画像記録部の特性に基づいた一律の処理（記録紙の露光特性に応じてLook Up Table（以下「ＬＵＴ」という）を用いた諧調変換処理、シャープネスがボケる場合には空間フィルタによる鮮鋭化処理等）や記録紙の劣化及び変動に応じた補正等が行われている。
【００１０】
一方、デジタルミニラボが導入されていない写真店においては、デジタルカメラやＭＯ（Magneto Optical disk）やＣＤ（Compact Disc）等の各種記録メディアに記録されたデジタル画像をプリントするためにＰＣ（Personal Computer）に昇華プリンタ等の熱転写プリンタを組み合わせたシステムを導入して対応している。このシステムにおいては、ＰＣが画像入力部と画像処理部の役割を果たし、必要に応じて適切な画像調整が行われている。
【００１１】
しかし、画像の内容（シーン）によっては、画像の高濃度部の濃度が低すぎると画像の黒の領域の部分のしまりがなくなってみえるという、いわゆる「しまり」の問題や、画像の高濃度部の濃度が高すぎるため画像の黒の領域、特に文字の部分がにじんで見えてしまう、いわゆる「にじみ」の問題が生じる場合がある。
【００１２】
これらの問題は、画像記録部と記録材料の特性との関係及びシーンに応じて適切な濃度が異なるために発生するものである。
【００１３】
ハロゲン化銀カラー感光材料に記録する場合には、特に濃度の高い領域における濃度の変動やばらつきが大きいため黒の「しまり」の問題や「にじみ」の問題が特に発生しやすい。
【００１４】
また、熱を加えることによって濃度を上げる方式の熱転写プリンタにおいては、その記録特性として、熱の影響で着目部分の濃度が、周囲の部分に影響されるなどで高濃度部分のばらつきや変動が大きい。このため、シーンによっては、黒の「しまり」や「にじみ」が問題となる場合がある。
【特許文献１】特開平０９−１６３１６３号公報
【発明の開示】
【発明が解決しようとする課題】
【００１５】
しかし、画像処理部の「絵作り」において、かかる「しまり」や「にじみ」の調整を行った場合は、画像記録部と記録材料の特性に合わせた画像データとのなるため、画像データの汎用性が損なわれ、調整後の画像をＣＤ等の各種記録メディアに記録してその後画面で見たり、調整後の画像をプリント等したりした場合に「しまり」がなかったり、「にじみ」が強すぎたりなど必ずしも適切でない場合がある。
【００１６】
このことは、調整後の画像をネットワーク通信により配信したり、外部画像出力機器等でプリントしたりする場合も同様である。
【００１７】
ＬＵＴを全く異なったＬＵＴに変更して調整することとすると、濃度の変更を所望しない範囲の濃度において画質が悪くなることがある。
【００１８】
そこで、本発明の課題は、画質調整後の画像データの汎用性を損なうことなく、各画像データに応じた黒の領域の「しまり」や「にじみ」を容易に調整し、良好な画質のプリントを得ることができる画像記録装置、画像記録方法、及び画像記録プログラムを提供することにある。
【００１９】
また、ハロゲン化銀カラー感光材料に画像を記録する際の特性として高濃度部の変動やばらつきがあっても、画像データの汎用性を損なうことなく、画像データに応じて黒の「しまり」や「にじみ」の容易に調整し、良好なプリントを得ることにある。
【００２０】
また、熱転写プリンタにより記録を行う際の特性として、高濃度部の変動やばらつきがあっても、画像データの汎用性を損なうことなく、画像データに応じて黒の「しまり」や「にじみ」の容易に調整し、良好なプリントを得ることにある。
【課題を解決するための手段】
【００２１】
上記課題を解決するため、請求項１に記載の画像記録装置は、画像データを取得する画像入力部と、前記画像入力部より取得した画像データについて所定の処理を行う画像処理部と、前記画像処理部から出力された画像データよりＬＵＴを介して得た出力データに基づいてプリントを作成する画像記録部と、画像の特定の濃度域の濃度を変更するための操作部と、前記操作部からの濃度変更の指示に応じて前記画像記録部に備えられたＬＵＴの変更を行う制御部と、を備えることを特徴とする。
【００２２】
請求項１に記載の発明によれば、画像処理部で作成された汎用画像データの汎用性を損なうことなく、画像記録部においてＬＵＴを変更することができる。
【００２３】
請求項２に記載の発明は、請求項１に記載の画像記録装置において、画像データの入力メディアの種類毎に前記操作部による濃度変更指示が可能であることを特徴とする。
【００２４】
請求項２に記載の発明によれば、入力メディア毎の画像データの特性に応じてＬＵＴを変更して濃度を調整することができる。
【００２５】
請求項３に記載の発明は、請求項１又は請求項２に記載の画像記録装置において、前記操作部を操作することにより設定情報を入力して濃度変更指示をすることが可能であることを特徴とする。
【００２６】
請求項３に記載の発明によれば、設定情報に応じて適切なＬＵＴに変更して濃度調整を行うことができる。
【００２７】
請求項４に記載の発明は、請求項１又は請求項２に記載の画像記録装置において、前記操作部を操作することにより現像機器の稼動状態情報を入力して、前記操作部による濃度変更指示が可能であることを特徴とする。
【００２８】
請求項４に記載の発明によれば、稼動状態情報に応じて適切なＬＵＴに変更して濃度調整を行うことができる。
【００２９】
請求項５に記載の発明は、請求項１から請求項４のいずれか一項に記載の画像記録装置において、前記操作部を操作することによりＬＵＴの詳細設定を変更することが可能であることを特徴とする。
【００３０】
請求項５に記載の発明によれば、きめ細かな濃度調整を行うことができる。
【００３１】
請求項６に記載の発明は、請求項１から請求項５のいずれか一項に記載の画像記録装置において、画像を記録するために必要な情報を表示する表示部を備え、前記表示部においては前記画像処理部から出力された画像データに基づく画像を表示するとともに、前記操作部による濃度変更指示が可能であることを特徴とする。
【００３２】
請求項６に記載の発明によれば、表示部に少なくとも一つの画像を表示して、表示部の表示に基づいて容易にＬＵＴを変更して濃度の調整を行うことができる。
【００３３】
請求項７に記載の発明は、請求項１から請求項６のいずれか一項に記載の画像記録装置において、画像を記録するために必要な情報を表示する表示部を備え、前記表示部に設定情報、現像機器の稼動状態情報、又はＬＵＴの変更を行う際の詳細設定に関する情報の少なくとも一つを表示させるとともに、前記操作部による濃度変更指示が可能であることを特徴とする。
【００３４】
請求項７に記載の発明によれば、設定情報、稼動状態情報、又はＬＵＴの変更を行う際の詳細設定に関する情報の少なくとも一つを表示して、表示部の表示に基づいて容易にＬＵＴを変更して濃度の調整を行うことができる。
【００３５】
請求項８に記載の画像記録装置は、画像データを取得する画像入力部と、前記画像入力部より取得した画像データについて所定の処理を行う画像処理部と、前記画像処理部から出力された画像データよりＬＵＴを介して得た出力データに基づいてプリントを作成する画像記録部と、画像関連情報に基づいて画像の特定の濃度域の濃度の変更の要否を判定し、その判定結果に基づいて前記画像記録部に備えられたＬＵＴの変更を行う制御部と、を備えることを特徴とする。
【００３６】
請求項８に記載の発明によれば、画像処理工程において作成された汎用画像データの汎用性を損なうことなく、画像記録部においてＬＵＴを変更を自動的に行うことができる。
【００３７】
請求項９に記載の発明は、請求項８に記載の画像記録装置において、画像の特定の濃度域の濃度を変更するための操作部を備え、前記操作部を操作することによりＬＵＴの詳細設定を変更することが可能であることを特徴とする。
【００３８】
請求項９に記載の発明によれば、きめ細かな濃度調整を行うことができる。
【００３９】
請求項１０に記載の発明は、請求項８又は請求項９に記載の画像記録装置において、前記画像関連情報は画像データの分類、設定情報又は稼動状態情報の少なくとも一つであることを特徴とする請求項８又は請求項９に記載の画像記録装置。
【００４０】
請求項１０に記載の発明によれば、画像データの分類、設定情報又は稼動状態情報の少なくとも一つから濃度調整に必要な情報を得て適切な濃度調整を行うことができる。
【００４１】
請求項１１に記載の発明は、請求項１０に記載の画像記録装置において、前記制御部は画像データの内容を判別して画像データの分類を行うことを特徴とする。
【００４２】
請求項１１に記載の発明によれば、画像データの内容から画像の分類を行うことができる。
【００４３】
請求項１２に記載の発明は、請求項３又は請求項１０に記載の画像記録装置において、前記設定情報は、感光材料の種類、現像の種類又は感光材料の現像機器内での搬送速度の少なくとも一つであることを特徴とする。
【００４４】
請求項１２に記載の発明によれば、設定情報である感光材料の種類、現像の種類又は感光材料の現像機器内での搬送速度の少なくとも一つから適切な濃度変更を行うことができる。
【００４５】
請求項１３に記載の発明は、請求項１２に記載の画像記録装置において、前記設定情報が感光材料の種類に関するものである場合に、前記制御部は、前記設定情報を感光材料が収納されたマガジンから取得することを特徴とする。
【００４６】
請求項１３に記載の発明によれば、オペレータが入力しなくても感光材料が収納されたマガジンから自動的に設定情報を入力することができる。
【００４７】
請求項１４に記載の発明は、請求項１２に記載の画像記録装置において、露光現像処理部を備え、前記設定情報が現像の種類に関するものである場合に、前記制御部は前記設定情報を前記露光現像処理部から取得することを特徴とする。
【００４８】
請求項１４に記載の発明によれば、露光現像処理部から設定情報である現像の種類に関する情報を取得して適切な濃度変更を行うことができる。
【００４９】
請求項１５に記載の発明は、請求項１２に記載の画像記録装置において、前記設定情報が前記露光現像処理部内における感光材料の搬送速度である場合に、前記制御部は、前記設定情報を前記露光現像処理部から取得することを特徴とする。
【００５０】
請求項１５に記載の発明によれば、露光現像処理部から設定情報である露光現像処理部内における感光材料の搬送速度に関する情報を取得して適切な濃度変更を行うことができる。
【００５１】
請求項１６に記載の発明は、請求項１から請求項１５のいずれか一項に記載の画像記録装置において、前記制御部は、実質的にＬＵＴの一部のみを変更することを特徴とする。
【００５２】
請求項１６に記載の発明によれば、ＬＵＴを全く異なったＬＵＴに変更した場合には濃度の変更を所望しない範囲の濃度において画質が悪くなることがあるが、所望の濃度範囲のみを変更するため、画質を悪化させることなく所望の濃度範囲の濃度のみを変更することができる。
【００５３】
ここで、『ＬＵＴの「実質的に」「一部のみ」を変更する』とは、濃度の変更を所望する濃度範囲においては数値が変更されているが、濃度の変更を所望しない濃度範囲においては変更前のＬＵＴの数値と全く同じであるか、又は異なるとしても変更前のＬＵＴとほぼ同じ濃度で記録される数値であるＬＵＴに変更することを意味する。このことは、以下においても同様である。
【００５４】
請求項１７に記載の発明は、請求項１から請求項１６のいずれか一項に記載の画像記録装置において、前記特定の濃度域が高濃度域であることを特徴とする。
【００５５】
請求項１７に記載の発明によれば、高濃度部の数値のみが異なるＬＵＴに変更することで、黒の「にじみ」を解消した上で画質の劣化を生じさせることなく画像データにおける高濃度部の濃度のみを変更させることができる。
【００５６】
また、高濃度部の数値のみが異なるＬＵＴに変更することで、黒の「にじみ」や「しまり」を解消した上で画質の劣化を生じさせることなく画像データにおける高濃度部の濃度のみを変更させることができる。
【００５７】
また、ここでいう高濃度部とは、下記で示す濃度値Ｄn以上の濃度域のことである。
濃度値Ｄnは下記に定義される濃度値Ｄxより高濃度となる。
【００５８】
Ｄx  ＝  (Ｄmax−Ｄmin)×２／３＋Ｄmin
ここでＤmaxとＤminは、画像記録装置で記録可能な最高濃度と最低濃度である。
【００５９】
画像記録装置で記録可能な最高濃度とは、記録に用いられる全ての記録色（例えば、ハロゲン化銀カラー印画紙の場合は、ＹＭＣの三色）がそれぞれ画像記録装置で記録可能な最高濃度で記録された状態である。
【００６０】
画像記録装置で記録可能な最低濃度とは、記録に用いられる全ての記録色がそれぞれ画像記録装置で記録可能な最低濃度になっている状態であり、ハロゲン化銀カラー印画紙の場合は未露光で現像処理された状態である。
【００６１】
高濃度部を狭くすれば変更する濃度領域は狭くなるので、黒のしまりや文字のにじみの問題を解消しても濃度を変更することを望まない濃度領域に与える影響が少なくなる。そのため、例えば、画像記録装置で記録可能な高濃度が２．０以上の画像記録装置を用いて、グレイのプリントを行った時のグレイのプリントの色分解濃度であるＲ濃度、Ｇ濃度、Ｂ濃度において、全て１．８以上の範囲を高濃度部として濃度変更することが好ましい。また、明度は人間の視覚特性としてＧ濃度に最も密接に関係するので、さらに、Ｇ濃度が１．９以上を高濃度部とすればより好ましい。
【００６２】
請求項１８に記載の発明は、請求項１から請求項１７のいずれか一項に記載の画像記録装置において、前記画像記録部は少なくとも２色の記録色を用い、かつ前記制御部は前記画像記録部の記録色の少なくとも２色の濃度を変更するようにＬＵＴ変更を制御することを特徴とする。
【００６３】
請求項１８に記載の発明によれば、ＬＵＴを変更することで２色以上の濃度を変更するので画像データの色のバランスを良好に保つことができる。
【００６４】
請求項１９に記載の発明は、請求項１から請求項１８のいずれか一項に記載の画像記録装置において、前記制御部は、少なくとも二つのＬＵＴの中からＬＵＴを選択することによりＬＵＴの変更を行うことを特徴とする。
【００６５】
請求項１９に記載の発明によれば、複数のＬＵＴから選択することができるため、ＬＵＴを選択してシーンに応じた適当な濃度調整をすることができる。
【００６６】
請求項２０に記載の発明は、請求項１から請求項１９のいずれか一項に記載の画像記録装置において、前記画像記録部は、ハロゲン化銀カラー感光材料に記録することを特徴とする。
【００６７】
請求項２０に記載の発明によれば、ハロゲン化銀カラー感光材料に記録する場合においても、画像記録部に備えられたＬＵＴに変更するため、画像処理部で作成された画像データの汎用性を損なうことなく、画像記録部の特性に応じて画像データの濃度の操作を行うことができる。
【００６８】
請求項２１に記載の発明は、請求項１から請求項１９のいずれか一項に記載の画像記録装置において、前記画像記録部は、熱転写記録材料に記録することを特徴とする。
【００６９】
請求項２１に記載の発明によれば、熱転写記録材料に記録する場合においても、画像記録部に備えられたＬＵＴに変更するため、画像処理部で作成された画像データの汎用性を損なうことなく、画像記録部の特性に応じて画像データの濃度の操作を行うことができる。
【００７０】
請求項２２に記載の画像記録方法は、画像データを取得する画像入力工程と、前記画像入力工程より取得した画像データについて所定の処理を行う画像処理工程と、前記画像処理工程から出力された画像データよりＬＵＴを介して得た出力データに基づいてプリントを作成する画像記録工程と、プリント画像の特定の濃度域の濃度を変更するための操作工程と、前記操作工程からの濃度変更の指示に応じて前記画像記録工程においてＬＵＴの変更を行うＬＵＴ変更工程と、を備えることを特徴とする。
【００７１】
請求項２２に記載の発明によれば、画像処理工程で作成された汎用画像データの汎用性を損なうことなく、画像記録工程においてＬＵＴを変更することができる。
【００７２】
請求項２３に記載の発明は、請求項２２に記載の画像記録方法において、前記操作工程においては、画像データの入力メディアの種類毎に濃度変更指示が可能であることを特徴とする。
【００７３】
請求項２３に記載の発明によれば、入力メディア毎の画像データの特性に応じてＬＵＴを変更して濃度を調整することができる。
【００７４】
請求項２４に記載の発明は、請求項２２又は請求項２３に記載の画像記録方法において、前記操作工程において設定情報を入力して濃度変更指示をすることが可能であることを特徴とする。
【００７５】
請求項２４に記載の発明によれば、設定情報に応じて適切なＬＵＴに変更して濃度調整を行うことができる。
【００７６】
請求項２５に記載の発明は、請求項２２又は請求項２３に記載の画像記録方法において、前記操作工程において現像機器の稼動状態情報を入力して濃度変更指示が可能であることを特徴とする。
【００７７】
請求項２５に記載の発明によれば、稼動状態情報に応じて適切なＬＵＴに変更して濃度調整を行うことができる。
【００７８】
請求項２６に記載の発明は、請求項２２から請求項２５のいずれか一項に記載の画像記録方法において、前記操作工程においてＬＵＴの詳細設定を変更することが可能であることを特徴とする。
【００７９】
請求項２６に記載の発明によれば、きめ細かな濃度調整を行うことができる。
【００８０】
請求項２７に記載の発明は、請求項２２から請求項２６のいずれか一項に記載の画像記録方法において、画像を記録するために必要な情報を表示する表示工程を備え、前記表示工程においては前記画像処理工程から出力された画像データに基づく画像を表示するとともに、前記操作工程において濃度変更指示が可能であることを特徴とする。
請求項２７に記載の発明によれば、表示工程において少なくとも一つの画像を表示して、表示工程における表示に基づいて容易にＬＵＴを変更して濃度の調整を行うことができる。
【００８１】
請求項２８に記載の発明は、請求項２２又は請求項２７に記載の画像記録方法において、画像を記録するために必要な情報を表示する表示工程を備え、前記表示工程においては、設定情報、現像機器の稼動状態情報、又はＬＵＴの変更を行う際の詳細設定に関する情報の少なくとも一つを表示するとともに、前記操作工程において濃度変更指示が可能であることを特徴とする。
【００８２】
請求項２８に記載の発明によれば、設定情報、稼動状態情報、又はＬＵＴの変更を行う際の詳細設定に関する情報の少なくとも一つを表示して、表示工程における表示に基づいて容易にＬＵＴを変更して濃度の調整を行うことができる。
【００８３】
請求項２９に記載の画像記録方法は、画像データを取得する画像入力工程と、前記画像入力工程において取得した画像データについて所定の処理を行う画像処理工程と、前記画像処理工程において処理された画像データよりＬＵＴを介して得た出力データに基づいてプリントを作成する画像記録工程と、画像関連情報に基づいて特定の濃度域の濃度の変更の要否を判定し、その判定結果に基づいて前記画像記録工程においてＬＵＴの変更を行うＬＵＴ変更工程と、を備えることを特徴とする。
【００８４】
請求項２９に記載の発明によれば、画像処理工程において作成された汎用画像データの汎用性を損なうことなく、画像記録工程においてＬＵＴを変更を自動的に行うことができる。
【００８５】
請求項３０に記載の発明は、請求項２９に記載の画像記録方法において、画像の特定の濃度域の濃度を変更するための操作工程を備え、前記操作工程においてＬＵＴの詳細設定を変更することが可能であることを特徴とする。
【００８６】
請求項３０に記載の発明によれば、きめ細かな濃度調整を行うことができる。
【００８７】
請求項３１に記載の発明は、請求項２９又は請求項３０に記載の画像記録方法において、前記画像関連情報は画像データの分類、設定情報又は現像機器の稼動状態情報の少なくとも一つであることを特徴とする。
【００８８】
請求項３１に記載の発明によれば、画像データの分類、設定情報又は現像機器の稼動状態情報の少なくとも一つから濃度調整に必要な情報を得て適切な濃度調整を行うことができる。
【００８９】
請求項３２に記載の発明は、請求項３１に記載の画像記録方法において、前記ＬＵＴ変更工程においては画像データの内容を判別して画像データの分類を行うことを特徴とする。
【００９０】
請求項３２に記載の発明によれば、画像データの内容から画像の分類を行うことができる。
【００９１】
請求項３３に記載の発明は、請求項２４又は請求項３１に記載の画像記録方法において、前記設定情報は、感光材料の種類、現像の種類又は感光材料の現像機器内での搬送速度の少なくとも一つであることを特徴とする。
【００９２】
請求項３３に記載の発明によれば、設定情報である感光材料の種類、現像の種類又は感光材料の現像機器内での搬送速度の少なくとも一つから適切な濃度変更を行うことができる。
【００９３】
請求項３４に記載の発明は、請求項３３に記載の画像記録方法において、前記設定情報が感光材料の種類に関するものである場合に、前記ＬＵＴ変更工程においては、前記設定情報を感光材料が収納されたマガジンから取得することを特徴とする。
【００９４】
請求項３４に記載の発明によれば、オペレータが入力しなくても感光材料が収納されたマガジンから自動的に設定情報を入力することができる。
【００９５】
請求項３５に記載の発明は、請求項３３に記載の画像記録方法において、露光現像処理工程を備え、前記設定情報が現像の種類に関するものである場合に、前記ＬＵＴ変更工程においては前記設定情報を前記露光現像処理工程から取得することを特徴とする。
【００９６】
請求項３５に記載の発明によれば、露光現像処理工程から設定情報である現像の種類に関する情報を取得して適切な濃度変更を行うことができる。
【００９７】
請求項３６に記載の発明は、請求項３３に記載の画像記録方法において、前記設定情報が前記露光現像処理工程における感光材料の現像機器内での搬送速度である場合に、前記ＬＵＴ変更工程においては前記設定情報を前記露光現像処理工程から取得することを特徴とする。
【００９８】
請求項３６に記載の発明によれば、露光現像処工程から設定情報である露光現像処理工程における感光材料の現像機器内での搬送速度に関する情報を取得して適切な濃度変更を行うことができる。
【００９９】
請求項３７に記載の発明は、請求項２２から請求項３６のいずれか一項に記載の画像記録方法において、前記ＬＵＴ変更工程においては、実質的にＬＵＴの一部のみを変更することを特徴とする。
【０１００】
請求項３７に記載の発明によれば、ＬＵＴを全く異なったＬＵＴに変更した場合には濃度の変更を所望しない範囲の濃度において画質が悪くなることがあるが、所望の濃度範囲のみを変更するため、画質を悪化させることなく所望の濃度範囲の濃度のみを変更することができる。
【０１０１】
請求項３８に記載の発明は、請求項２２から請求項３７のいずれか一項に記載の画像記録方法において、前記特定の濃度域が高濃度域であることを特徴とする。
【０１０２】
請求項３８に記載の発明によれば、高濃度部の数値のみが異なるＬＵＴに変更することで、黒の「にじみ」を解消した上で画質の劣化を生じさせることなく画像データにおける高濃度部の濃度のみを変更させることができる。
【０１０３】
また、高濃度部の数値のみが異なるＬＵＴに変更することで、黒の「にじみ」や「しまり」を解消した上で画質の劣化を生じさせることなく画像データにおける高濃度部の濃度のみを変更させることができる。
【０１０４】
請求項３９に記載の発明は、請求項２２から請求項３８のいずれか一項に記載の画像記録方法において、前記画像記録工程においては、少なくとも２色の記録色を用い、かつ前記ＬＵＴ変更工程においては、前記画像記録工程の記録色の少なくとも２色の濃度を変更するようにＬＵＴを変更することを特徴とする。
【０１０５】
請求項３９に記載の発明によれば、ＬＵＴを変更することで２色以上の濃度を変更するので画像データの色のバランスを良好に保つことができる。
【０１０６】
請求項４０に記載の発明は、請求項２２から請求項３９のいずれか一項に記載の画像記録方法において、前記ＬＵＴ変更工程においては、少なくとも二つのＬＵＴの中からＬＵＴを選択することによりＬＵＴの変更を行うことを特徴とする。
【０１０７】
請求項４０に記載の発明によれば、複数のＬＵＴから選択することができるため、ＬＵＴを選択してシーンに応じた適当な濃度調整をすることができる。
【０１０８】
請求項４１に記載の発明は、請求項２２から請求項４０のいずれか一項に記載の画像記録方法において、前記画像記録工程においては、ハロゲン化銀カラー感光材料に記録することを特徴とする。
【０１０９】
請求項４１に記載の発明によれば、ハロゲン化銀カラー感光材料に記録する場合においても、画像記録工程においてＬＵＴを変更するため、画像処理工程で作成された画像データの汎用性を損なうことなく、画像記録工程の特性に応じて画像データの濃度の操作を行うことができる。
【０１１０】
請求項４２に記載の発明は、請求項２２から請求項４０のいずれか一項に記載の画像記録方法において、前記画像記録工程においては、熱転写記録材料に記録することを特徴とする。
【０１１１】
請求項４２に記載の発明によれば、熱転写記録材料に記録する場合においても、画像記録工程においてＬＵＴを変更するため、画像処理工程で作成された画像データの汎用性を損なうことなく、画像記録工程の特性に応じて画像データの濃度の操作を行うことができる。
【０１１２】
請求項４３に記載の画像記録プログラムは、コンピュータに、画像データを取得する画像入力手順、前記画像入力手順より取得した画像データについて所定の処理を行う画像処理手順、前記画像処理手順から出力された画像データよりＬＵＴを介して得た出力データに基づいてプリントを作成する画像記録手順、画像の特定の濃度域の濃度を変更する操作に応じて前記画像記録手順においてＬＵＴの変更を行うＬＵＴ変更手順、を実行させる。
【０１１３】
請求項４３に記載の発明によれば、画像処理手順において作成された汎用画像データの汎用性を損なうことなく、画像記録手順においてＬＵＴを変更することができる。
【０１１４】
請求項４４に記載の発明は、請求項４３に記載の画像記録プログラムにおいて、前記ＬＵＴ変更手順は、画像データの入力メディアの種類毎に濃度を変更することが可能であることを特徴とする。
【０１１５】
請求項４４に記載の発明によれば、入力メディア毎の画像データの特性に応じてＬＵＴを変更して濃度を調整することができる。
【０１１６】
請求項４５に記載の発明は、請求項４３又は請求項４４に記載の画像記録プログラムにおいて、前記ＬＵＴ変更手順は、入力される設定情報に応じて濃度を変更することが可能であることを特徴とする。
【０１１７】
請求項４５に記載の発明によれば、設定情報に応じて適切なＬＵＴに変更して濃度調整を行うことができる。
【０１１８】
請求項４６に記載の発明は、請求項４３又は請求項４４に記載の画像記録プログラムにおいて、前記ＬＵＴ変更手順は、入力される現像機器の稼動状態情報に応じて濃度を変更することが可能であることを特徴とする。
【０１１９】
請求項４６に記載の発明によれば、稼動状態情報に応じて適切なＬＵＴに変更して濃度調整を行うことができる。
【０１２０】
請求項４７に記載の発明は、請求項４３から請求項４６のいずれか一項に記載の画像記録プログラムにおいて、前記ＬＵＴ変更手順は、ＬＵＴの詳細設定を変更することが可能であることを特徴とする。
【０１２１】
請求項４７に記載の発明によれば、きめ細かな濃度調整を行うことができる。
【０１２２】
請求項４８に記載の発明は、請求項４３から請求項４７のいずれか一項に記載の画像記録プログラムにおいて、画像を記録するために必要な情報を表示する表示手順を備え、前記表示手順においては前記画像処理手順から出力された画像データに基づく画像を表示するとともに、前記ＬＵＴ変更手順は、画像の特定の濃度域の濃度を変更する操作に応じて濃度を変更することが可能であることを特徴とする。
【０１２３】
請求項４８に記載の発明によれば、表示手順において画像処理手順から出力された画像データに基づく画像を表示して、表示手順における表示に基づいて容易にＬＵＴを変更して濃度の調整を行うことができる。
【０１２４】
請求項４９に記載の発明は、請求項４３から請求項４８のいずれか一項に記載の画像記録プログラムにおいて、画像を記録するために必要な情報を表示する表示手順を備え、前記表示手順においては、設定情報、現像機器の稼動状態情報、又はＬＵＴの変更を行う際の詳細設定に関する情報の少なくとも一つを表示するとともに、前記ＬＵＴ変更手順は、画像の特定の濃度域の濃度を変更する操作に応じて濃度を変更することが可能であることを特徴とする。
【０１２５】
請求項４９に記載の発明によれば、設定情報、稼動状態情報、又はＬＵＴの変更を行う際の詳細設定に関する情報の少なくとも一つを表示して、表示手順における表示に基づいて容易にＬＵＴを変更して濃度の調整を行うことができる。
【０１２６】
請求項５０に記載の画像記録プログラムは、コンピュータに、画像データを取得する画像入力手順、前記画像入力手順において取得した画像データについて所定の処理を行う画像処理手順、前記画像処理手順において処理された画像データよりＬＵＴを介して得た出力データに基づいてプリントを作成する画像記録手順、画像関連情報に基づいて特定の濃度域の濃度の変更の要否を判定し、その判定結果に基づいて前記画像記録手順においてＬＵＴの変更を行うＬＵＴ変更手順、を実行させる。
【０１２７】
請求項５０に記載の発明によれば、画像処理手順において作成された汎用画像データの汎用性を損なうことなく、画像記録手順においてＬＵＴを変更を自動的に行うことができる。
【０１２８】
請求項５１に記載の発明は、請求項５０に記載の画像記録プログラムにおいて、前記ＬＵＴ変更手順は、画像の特定の濃度域の濃度を変更する操作に応じてＬＵＴの詳細設定を変更することが可能であることを特徴とする。
【０１２９】
請求項５１に記載の発明によれば、きめ細かな濃度調整を行うことができる。
【０１３０】
請求項５２に記載の発明は、請求項５０又は請求項５１に記載の画像記録プログラムにおいて、前記画像関連情報は画像データの分類、設定情報又は現像機器の稼動状態情報の少なくとも一つであることを特徴とする。
【０１３１】
請求項５２に記載の発明によれば、画像データの分類、設定情報又は稼動状態情報の少なくとも一つから濃度調整に必要な情報を得て適切な濃度調整を行うことができる。
【０１３２】
請求項５３に記載の発明は、請求項５２に記載の画像記録プログラムにおいて、前記ＬＵＴ変更手順は、画像データの内容を判別して画像データの分類を行うことを特徴とする。
【０１３３】
請求項５３に記載の発明によれば、画像データの内容から画像の分類を行うことができる。
【０１３４】
請求項５４に記載の発明は、請求項４５又は請求項５２に記載の画像記録プログラムにおいて、前記設定情報は、感光材料の種類、現像の種類又は感光材料の現像機器内での搬送速度の少なくとも一つであることを特徴とする。
【０１３５】
請求項５４に記載の発明によれば、設定情報である感光材料の種類、現像の種類又は感光材料の現像機器内での搬送速度の少なくとも一つから適切な濃度変更を行うことができる。
【０１３６】
請求項５５に記載の発明は、請求項５４に記載の画像記録プログラムにおいて、前記設定情報が感光材料の種類に関するものである場合に、前記ＬＵＴ変更手順においては、前記設定情報を感光材料が収納されたマガジンから取得することを特徴とする。
【０１３７】
請求項５５に記載の発明によれば、オペレータが入力しなくても感光材料が収納されたマガジンから自動的に設定情報を入力することができる。
【０１３８】
請求項５６に記載の発明は、請求項５４に記載の画像記録プログラムにおいて、露光現像処理手順を備え、前記設定情報が現像の種類に関するものである場合に、前記ＬＵＴ変更手順は前記設定情報を前記露光現像処理手順から取得することを特徴とする。
【０１３９】
請求項５６に記載の発明によれば、露光現像処理手順から設定情報である現像の種類に関する情報を取得して適切な濃度変更を行うことができる。
【０１４０】
請求項５７に記載の発明は、請求項５４に記載の画像記録プログラムにおいて、前記設定情報が前記露光現像処理手順における感光材料の現像機器内での搬送速度である場合に、前記ＬＵＴ変更手順は前記設定情報を前記露光手順から取得することを特徴とする。
【０１４１】
請求項５７に記載の発明によれば、露光現像処手順から設定情報である露光現像処理手順における感光材料の現像機器内での搬送速度に関する情報を取得して適切な濃度変更を行うことができる。
【０１４２】
請求項５８に記載の発明は、請求項４３から請求項５７のいずれか一項に記載の画像記録プログラムにおいて、前記ＬＵＴ変更手順は、実質的にＬＵＴの一部のみを変更することを特徴とする。
【０１４３】
請求項５８に記載の発明によれば、ＬＵＴを全く異なったＬＵＴに変更した場合には濃度の変更を所望しない範囲の濃度において画質が悪くなることがあるが、所望の濃度範囲のみを変更するため、画質を悪化させることなく所望の濃度範囲の濃度のみを変更することができる。
【０１４４】
請求項５９に記載の発明は、請求項４３から請求項５８のいずれか一項に記載の画像記録プログラムにおいて、前記特定の濃度域が高濃度域であることを特徴とする。
【０１４５】
請求項５９に記載の発明によれば、高濃度部の数値のみが異なるＬＵＴに変更することで、黒の「にじみ」を解消した上で画質の劣化を生じさせることなく画像データにおける高濃度部の濃度のみを変更させることができる。
【０１４６】
また、高濃度部の数値のみが異なるＬＵＴに変更することで、黒の「にじみ」や「しまり」を解消した上で画質の劣化を生じさせることなく画像データにおける高濃度部の濃度のみを変更させることができる。
【０１４７】
請求項６０に記載の発明は、請求項４３から請求項５９のいずれか一項に記載の画像記録プログラムにおいて、前記画像記録手順は、少なくとも２色の記録色を用い、かつ前記ＬＵＴ変更手順は、前記画像記録手順の記録色の少なくとも２色の濃度を変更するようにＬＵＴを変更することを特徴とする。
【０１４８】
請求項６０に記載の発明によれば、ＬＵＴを変更することで２色以上の濃度を変更するので画像データの色のバランスを良好に保つことができる。
【０１４９】
請求項６１に記載の発明は、請求項４３から請求項６０のいずれか一項に記載の画像記録プログラムにおいて、前記ＬＵＴ変更手順は、少なくとも二つのＬＵＴの中からＬＵＴを選択することによりＬＵＴの変更を行うことを特徴とする。
【０１５０】
請求項６１に記載の発明によれば、複数のＬＵＴから選択することができるため、ＬＵＴを選択してシーンに応じた適当な濃度調整をすることができる。
【０１５１】
請求項６２に記載の発明は、請求項４３から請求項６１のいずれか一項に記載の画像記録プログラムにおいて、前記画像記録手順は、ハロゲン化銀カラー感光材料に記録することを特徴とする。
【０１５２】
請求項６２に記載の発明によれば、ハロゲン化銀カラー感光材料に記録する場合においても、画像記録手順においてＬＵＴを変更するため、画像処理手順で作成された画像データの汎用性を損なうことなく、画像記録手順の特性に応じて画像データの濃度の操作を行うことができる。
【０１５３】
請求項６３に記載の発明は、請求項４３から請求項６１のいずれか一項に記載の画像記録プログラムにおいて、前記画像記録手順は、熱転写記録材料に記録することを特徴とする。
【０１５４】
請求項６３に記載の発明によれば、熱転写記録材料に記録する場合においても、画像記録手順においてＬＵＴを変更するため、画像処理手順で作成された画像データの汎用性を損なうことなく、画像記録手順の特性に応じて画像データの濃度の操作を行うことができる。
【発明の効果】
【０１５５】
請求項１，請求項２２及び請求項４３に記載の発明によれば、画像記録部においてＬＵＴを変更するため画像処理部で作成された画像データの汎用性を損なうことなく、画像記録部や記録媒体の特性に応じた濃度調整を可能としつつ、高画質なプリントを得ることができる。
【０１５６】
また、請求項１，請求項２２及び請求項４３に記載の発明によれば、プリント画像の濃度を容易に調整することができるためシーンに合わせた濃度調整を行うことが可能となるので高画質のプリントを得ることができる。
【０１５７】
請求項２，請求項２３及び請求項４４に記載の発明によれば、例えば、ネガフィルムのように文字画像が含まれる可能性の少ない入力メディアについては「しまり」を重視すればよいため高濃度部の濃度を上げたＬＵＴに変更する設定にし、ＰＣカード等の文字画像が含まれる可能性の高い入力メディアについては「にじみ」の問題を重視すればよいため高濃度部の濃度を下げたＬＵＴに変更する等、入力メディア毎にその特性に応じたＬＵＴに変更できるため、入力メディア毎に高画質のプリントを得ることができる。
【０１５８】
請求項３，請求項２４及び請求項４５に記載の発明によれば、設定情報に応じてＬＵＴを適切なＬＵＴに変更することができるので、「にじみ」が無く「しまり」のある高画質のプリントを得ることができる。
【０１５９】
請求項４，請求項２５及び請求項４６に記載の発明によれば、稼動状態情報に応じてＬＵＴを適切なＬＵＴに変更することができるので、「にじみ」が無く「しまり」のある高画質のプリントを得ることができる。
【０１６０】
請求項５，請求項２６及び請求項４７に記載の発明によれば、画像データの濃度調整につき詳細な設定を行うことができるのでユーザの要望に細かく対応した高画質のプリントを得ることができる。
【０１６１】
請求項６，請求項２７及び請求項４８に記載の発明によれば、少なくとも一つの画像を表示部に表示させて、それを見ながら容易に画像データ毎にＬＵＴを変更するか否かを選択することができる。そのため、ＬＵＴの変更が必要な画像データについてはＬＵＴを変更し、ＬＵＴの変更が必要ではない画像データについてはそのままの状態を保つことができるので全ての画像データについて高画質のプリントを得ることができる。
【０１６２】
請求項７，請求項２８及び請求項４９に記載の発明によれば、少なくとも一つの画像、設定情報、稼動状態情報、又はＬＵＴの変更を行う際の詳細設定に関する情報の少なくとも一つを見ながら容易に画像データ毎にＬＵＴを変更するか否かを選択することが、ＬＵＴの変更が必要な画像データについてはＬＵＴを変更し、ＬＵＴの変更が必要ではない画像データについてはそのままの状態を保つことができるので全ての画像データについて高画質のプリントを得ることができる。
【０１６３】
請求項８，請求項２９及び請求項５０に記載の発明によれば、プリント画像の濃度を自動的にシーンに合わせて調整して高画質のプリントを得ることができる。
【０１６４】
また、請求項８、請求項２９及び請求項５０に記載の発明によれば、画像記録部においてＬＵＴを変更するため画像処理部で作成された画像データの汎用性を損なうことなく画像記録部や記録媒体の特性に応じた濃度調整を可能としつつ、高画質なプリントを得ることができる。
【０１６５】
請求項９，請求項３０及び請求項５１に記載の発明によれば、制御部により自動的にＬＵＴを変更できることに加え、操作部を操作してＬＵＴの詳細設定を変更することができるので、ユーザの好みに応じた「にじみ」が無く「しまり」のある高画質のプリントを容易に得ることができる。
【０１６６】
請求項１０，請求項３１及び請求項５２に記載の発明によれば、自動的に画像データの分類、設定情報又は稼動状態情報の少なくとも一つから濃度調整に必要な情報を得て適切なＬＵＴに変更することができるので、「にじみ」が無く「しまり」のある高画質のプリントを得ることができる。
【０１６７】
請求項１１，請求項３２及び請求項５３に記載の発明によれば、自動的に画像データの内容を判別して画像データの分類行い、その分類から濃度調整に必要な情報を得て適切なＬＵＴに変更することができるので、「にじみ」が無く「しまり」のある高画質のプリントを得ることができる。
【０１６８】
請求項１２，請求項３３及び請求項５４に記載の発明によれば、設定情報である感光材料の種類、現像の種類又は感光材料の現像機器内での搬送速度の少なくとも一つに応じて自動的にＬＵＴを変更して高濃度調整を行い、「にじみ」が無く「しまり」のある高画質のプリントを得ることができる。
【０１６９】
請求項１３，請求項３４及び請求項５５に記載の発明によれば、感光材料を収納したマガジンから感光材料に関する情報を自動的に取得して「にじみ」が無く「しまり」のある高画質のプリントを得ることができる。
【０１７０】
請求項１４，請求項３５及び請求項５６に記載の発明によれば、露光現像処理部から自動的に設定情報である現像の種類を取得して、現像の種類に応じて濃度調整を行い「にじみ」が無く「しまり」のある高画質のプリントを得ることができる。
【０１７１】
請求項１５，請求項３６及び請求項５７に記載の発明によれば、露光現像処理部から自動的に設定情報である感光材料の現像機器内での搬送速度を取得して、感光材料の種類に応じて濃度調整を行い「にじみ」が無く「しまり」のある高画質のプリントを得ることができる。
【０１７２】
請求項１６，請求項３７及び請求項５８に記載の発明によれば、変更後のＬＵＴは変更前のＬＵＴとは変更を所望する部分の濃度の部分しか異ならないため、ＬＵＴ全体を全く異なるものとした場合のように変更対象濃度以外の濃度の領域でかえって画質が劣化してしまうという弊害を生じさせることなく、プリントの画質を高めることができる。
【０１７３】
請求項１７，請求項３８及び請求項５９に記載の発明によれば、ＬＵＴの高濃度部のみを変更するため、高濃度部以外の領域の画質を損なうことなく、「しまり」の問題や「にじみ」の問題を解消して高画質のプリントを得ることができる。
【０１７４】
請求項１８，請求項３９及び請求項６０に記載の発明によれば、ＬＵＴを変更することで少なくとも二色以上の濃度を変更するので画像データの色のバランスを良好に保ちながら高画質のプリントを得ることができる。特に、変更前のＬＵＴと高濃度部のみが異なるＬＵＴに変更する場合には、色のバランスを保ちつつ黒の領域の「しまり」を増したり、文字等の「にじみ」を解消したりすることができる。
【０１７５】
請求項１９，請求項４０及び請求項６１に記載の発明によれば、変更用のＬＵＴが複数用意されているため、例えばＬＵＴの最高濃度を固定しつつ濃度を変更する領域の異なる複数のＬＵＴを用意して、それらのＬＵＴの中から濃度の連続性を重視しながらそのシーンに最適なＬＵＴを選択したり、ＬＵＴの変更を開始する濃度が同一で濃度を変更する領域の異なる複数のＬＵＴを用意して、それらのＬＵＴの中から画質を重視しながらそのシーンに最適なＬＵＴを選択したりするなど、シーンや調整の目的に応じた緻密な画像の調整を行うことが可能となる。
【０１７６】
請求項２０，請求項４１及び請求項６２に記載の発明によれば、ハロゲン化銀カラー感光材料に記録する際の特性の高濃度部において濃度のばらつきや変動が生じるという問題があっても容易な操作でＬＵＴを変更することで「しまり」の問題や「にじみ」の問題を解消することで高画質のプリントを得ることができる。
【０１７７】
請求項２１，請求項４２及び請求項６３に記載の発明によれば、熱転写記録材料はプリントする際には熱が加えられることで濃度が上がるものであり、周囲の濃度が薄い場合の黒より、周囲の濃度が濃い場合の黒の方が、黒の濃度が濃くなるなどの、周囲の影響により濃度が変わるという問題があっても、記録する際の前記のような特性に応じて画像記録部においてＬＵＴを変更することでシーンに応じて黒の「しまり」を増したり、文字等の「にじみ」を軽減したりする等の調整を行うことができ、高画質のプリントを得ることができる。
【０１７８】
以下に本発明の第１の実施の形態について図面を参照して説明する。ただし、発明の範囲は図示例に限定されない。
【０１７９】
図１は、本実施の形態の画像記録装置の概要構成を示したものである。画像記録装置１は、操作部３、フィルムスキャナ部４、反射原稿入力部５、画像読込部６、表示部９、画像書込部１０、トレー１２、画像記録部１４を備える。
【０１８０】
次に、図２に画像記録装置１の機能構成を示す。図２に示すように画像記録装置１は制御部２、操作部３、フィルムスキャナ部４、反射原稿入力部５、画像読込部６、通信部７表示部９、画像書込部１０、記憶部１１、画像処理部１３、画像記録部１４を備えて構成される。
【０１８１】
制御部２は、ＣＰＵ（Central Processing Unit）、ＲＡＭ（Random Access Memory）、ＲＯＭ（Read Only Memory）等を備えているコンピュータである。
【０１８２】
ＣＰＵは操作部３や通信部７から入力される信号に応答して、ＲＯＭあるいは記憶部１１に記憶された、例えば画像処理プログラム等の各種制御プログラムを読み出してＲＡＭに展開し、展開された各種プログラムとの協働によって各種処理を実行し、画像記録装置１の各部を統括的に制御して機能させる。
【０１８３】
ＲＯＭは、読み出し専用の半導体メモリであり、ＣＰＵが実行するプログラムデータ等が記憶されている。
【０１８４】
ＲＡＭは、データが一時的に保存される記憶媒体であり、ＣＰＵが実行するためのプログラムを展開するためのプログラムエリア、操作部３や通信部７から入力されるデータやＣＰＵによる各種処理結果等を保存するためのデータエリア、フィルムスキャナ部４、反射原稿入力部５、画像読込部６及び通信部７から入力される画像データを保存するための画像エリアデータ等が形成される。ここで、画像データとは、画像を多数小領域（画素）に分割して、その画素毎に各色成分の明るさ等を信号強度で表したものである。
【０１８５】
操作部３は、数字キーや各種機能キーが備えられ、例えば、タッチパネル等で構成される。これらのキーを操作して操作信号を制御部２に出力する。
【０１８６】
フィルムスキャナ部４は透過原稿を読み込む装置である。画像入力部としてのフィルムスキャナ部４は制御部２の制御にしたがって、アナログカメラにより撮影され、現像されたカラーネガフィルムやカラーリバーサルフィルム等の透過原稿から画像データを読み込む。
【０１８７】
また、フィルムスキャナ部４にはＡＰＳ（アドバンスフォトシステム）の対応の銀塩カメラでのフィルムの磁気層に記録された情報を読み取らせる機能をもたせることとしてもよい。
【０１８８】
反射原稿入力部５は、いわゆるフラットベットスキャナであり、プリント等の反射原稿から画像を読み込む装置である。画像入力部としての反射原稿入力部５は制御部２の制御にしたがって、各種メディアに記録された画像データや画像付属データ等を読み込む。
【０１８９】
画像読込部６には、ＰＣカード用アダプタ、フロッピー（登録商標）ディスク用アダプタ、光ディスク用アダプタが備えられ、ＰＣカード、フロッピーディスク、光ディスクが差し込み可能になっている。メディアはこれらに限定されず、ＭＯ（Magneto Optical disk）やＺｉｐ（登録商標）でもよく、対応するアダプタを備えればよい。また、ネットワークポートやＵＳＢ等の機器接続ポートを設けてもよい。各種メディアには、例えば、デジタルカメラで撮影した複数の画像データや画像付属データやオーダー情報（例えば、ＤＰＯＦ（Digital Print Order Format）等）が記憶されている。また、画像合成等、種々の編集等の処理が施された画像データ等が記憶されている。画像入力部としての画像読込部６は制御部２の制御に従って、各種メディアに記録された画像データや画像付属データ等を読み込む。
【０１９０】
また、画像読込部６にはＥｘｉｆ対応のデジタルカメラでのＥｘｉｆ情報などの付加情報を記憶する機能を有するカメラで撮影された画像が記録されたメディアから前記情報を読み取らせる機能をもたせることとしてもよい。
【０１９１】
通信部７は、施設内のコンピュータやインターネット等を介した遠方のコンピュータから画像入力部として画像データや画像付属データやプリント命令等を受信する。すなわち、画像記録装置１は、ネットワーク等通信により受信したデータをプリントするネットワークプリンタとして機能することが可能である。
【０１９２】
また、通信部７は、画像データや画像付属データや付帯するオーダー情報等を、施設内の別のコンピュータや他のネットワークプリンタやインターネット等を介した遠方のコンピュータ等に送信する。
【０１９３】
表示部９は例えばＣＲＴを用い、制御部２の制御にしたがって、フィルムスキャナ部４、反射原稿入力部５、画像読込部６から読み込んだ画像データや、通信部７から受信した画像データ、や操作画面等を表示する
【０１９４】
表示部９には、例えば、図３に示すような黒強調モードの選択画面が表示される。この画面には、黒強調設定である旨の表示とともに、黒強調ＯＮ及び黒強調ＯＦＦの表示がなされ、操作部３を操作することによって黒強調ＯＮ又は黒強調ＯＦＦを選択するようになっている。
【０１９５】
また、例えば、図４に示すような入力メディア毎に黒強調のＯＮ又は黒強調ＯＦＦを選択する画面が表示される。この画面にはネガ、リバーサル、Ｐ to Ｐ、デジカメ及びメディアなどの入力メディア毎に黒強調ＯＮ又は黒強調ＯＦＦが選択できるように表示され、操作部３を操作することによって黒強調ＯＮ又は黒強調ＯＦＦを選択するようになっている。
【０１９６】
なお、上記における「ネガ」とはネガフィルムの入力モードを、「リバーサル」はリバーサルフィルムからの入力モードを、「Ｐ to Ｐ」は反射原稿からの入力モードを、「デジカメ」とはデジタルカメラで撮影された画像用の入力モードを、「メディア」とはメモリーカード、ＣＤＲ，ＤＶＤやＦＤなどの記録メディアの画像用入力モードをそれぞれ意味する。
【０１９７】
また、例えば、図５に示すようなプリントする画像単位で黒強調ＯＮ又は黒強調ＯＦＦを選択する画面が表示される。この画面では、入力された画像データの画像領域を表示するエリアが６つ設けられているが、その数に制限はない。画像データの数が一画面に設けられたエリアの数より多い場合は、複数の画面に分割して表示される。また、画像データのサイズ及びプリントする枚数を指定するためのサイズ／枚数指定ボタンＳＣ１、黒強調指定の有無を表すための黒強調有無確認部ＳＣ２、画質を調整する画像を選択するためのカーソルボタンＳＣ３、画像データについて細かな調整を行うための画質調整ボタンＳＣ４が設けられている。さらに、不要な画像を選択するためのＰＡＳＳボタンＳＣ５、プリントを開始するためのプリントボタンＳＣ６、黒強調ＯＮ又は黒強調ＯＦＦの操作を行うための黒強調ボタンＳＣ７が設けられている。そして、表示画像数が１画面分を超える場合には数画面に渡って表示されるが、その合計ページ数を表示するための表示部ＳＣ８が設けられている。
【０１９８】
このような表示は、ネガフィルムをスキャンした場合や、デジタルカメラで撮影された画像など、一度に複数の画像データを取り扱う場合に用いられる。
【０１９９】
画像書込部１０は、フロッピーディスク用アダプタ、ＭＯ用アダプタ、光ディスク用アダプタが備えられ、フロッピーディスク、ＭＯ、光ディスクが差し込み可能になっている。メディアはこれに限定されず、ＰＣカードやＺｉｐ等でもよく、対応するアダプタを備えればよい。画像書込部１０は、制御部２の制御に従って、画像データや画像付属データ等を画像記録メディアに書き込む。なお、画像読込部６と画像書込部１０が一つのアダプタで読み書き兼用になっていてもよい。
【０２００】
記憶部１１は、例えばＨＤＤ（Hard Disk Drive）を備えて構成され、制御部２の制御に従って、このＨＤＤ内にプログラムやデータ等を記録する。また、制御部２からプログラムやデータ等を読み出し指示がなされると、その指示された情報をＨＤＤから読み出して制御部２へ出力する。
【０２０１】
画像処理部１３は、フィルムスキャナ部４、反射原稿入力部５、又は画像読込部６から入力された画像データや通信部７で受信された画像データに必要に応じて適切な画像処理を行う。例えば、各入力方法に適した校正処理、グレーバランスの調整、コントラスト調整、及びネガ原稿の場合にはネガポジ変換処理等の画質調整を行う。また、必要に応じて、トリミングやサイズ変換等や画像データの合成や画像データに文字を入力したりするなどの処理を行う。
【０２０２】
このような所定の処理が施され「絵作り」された画像データは、記憶部１１に記憶され、汎用画像データとして、画像記録部１４でプリントが作成され、必要に応じて画像書込部１０でＣＤやＭＯ等の各種記録メディアに記録されたり、通信部７より他のネットワークプリンタに送信されたりする。
【０２０３】
また、画像記録部１４でプリントされる場合には、高速化の目的で、記憶部１１を介さずに、「絵作り」された画像データが直接画像記録部１４に転送されてプリントされる場合がある。
【０２０４】
画像データは、ＲＧＢカラー画像データ、モノクロ画像データ、ＣＭＹＫ４色画像データ等、その種類に制限はない。また、諧調数も任意であって、例えば、ＲＧＢカラー画像データの場合、各８色、各色１２bit等、任意の画像データを用いることができる。画像のフォーマットにはＪＰＥＧ，Ｔｉｆｆ，ｂｍｐ等が用いられ、その種類に制限はない。
ＪＰＥＧやＴｉｆｆ等、画像データと画像付属データがあるフォーマットの場合は、画像データと画像付属データを分離したり、画像付属データから必要な情報を取り出したりする各フォーマットに対応する処理が行われる。
【０２０５】
この画像処理部１３は、ＲＯＭに格納された画像処理プログラムと制御部２との協働によってソフトウェア処理が実現される。
【０２０６】
また、画像データを画像書込部１０でＣＤやＭＯ等の各種記録メディアに記録したり、通信部７により他のネットワークプリンタ等に送信したりする場合には、画像処理部１３によって各種画像データの形式に応じた変換が行われる。ここで処理を行う画像データの形式に制限はなく、対応したフォーマット変換等の処理が行われる。画像データは、ＲＧＢカラー画像データ、モノクロ画像データ、ＣＭＹＫ４色画像データ等、その種類を問わない。また、諧調数も任意であって、例えば、ＲＧＢカラー画像データの場合、各色８、各色１２bit等、任意の画像データを用いることができる。画像フォーマットについてはその種類は問わない（ＪＰＥＧ，Ｔｉｆｆ，ｂｍｐ等）。ＪＰＥＧやＴｉｆｆ等、画像データと画像付属データがあるフォーマットの場合は、画像データと画像付属データを対応するように用い、各フォーマットに対応した処理が行われる。
【０２０７】
画像記録部１４には、図６に示すようにＬＵＴ格納部２１、出力用画像処理部２２、露光現像処理部２３を備えて構成されている。
【０２０８】
ＬＵＴ格納部２１は例えば、ＨＤＤを備えて構成され、画像処理部１３から転送されてくる画像データの変更用のＬＵＴが格納されている。また、制御部２からのＬＵＴの切換がなされると、指示されたＬＵＴをＨＤＤから読み出し出力用画像処理部２２に転送する。
【０２０９】
ＬＵＴ格納部２１に格納されているＬＵＴの横軸は入力信号を表し、１２bitの画像データを意味する。縦軸は、出力信号を意味し画像記録を行うデバイスに与える信号値を意味し、ハロゲン化銀カラー印画紙を用いる場合の信号値はＢ，Ｇ，Ｒの各露光デバイスに与える信号値を意味する。
【０２１０】
本実施の形態において用いるＬＵＴの入力信号値及び出力信号値はともに１２bitであるが、本発明に用いるＬＵＴにおける信号値はこれに限らず８bitや１６bitの信号値を用いてもよく、その値に制限は無い。
【０２１１】
ＬＵＴ格納部２１に格納されているＬＵＴ及び変更前のＬＵＴとしては、例えば、図７(a)〜図７(c)が挙げられる。図７(a)はＲのＬＵＴ、図７(b)はGのＬＵＴ、図７(c)はＢのＬＵＴであり、実線は黒強調ＯＦＦのＬＵＴであり、実線と横軸の接点から点線と実線の接点までの実線及び点線と実線の接点のから点線と縦軸の接点までの点線が黒強調ＯＮのＬＵＴである。このことは以下のＬＵＴにおいても同様である。
【０２１２】
また、例えば図８(a)〜図８(f)の高濃度部の数値のみが異なるＬＵＴが挙げられる。図８(a)〜図８(f)は全てＧのＬＵＴであり、図８(a) の点線は最高濃度２．３で１．９以上の濃度範囲が変更されるＬＵＴであり、図８(b) の点線は最高濃度２．３で１．７以上の濃度範囲が変更されるＬＵＴであり、図８(c) の点線は最高濃度２．３で１．５５以上の濃度範囲が変更されるＬＵＴであり、図８(d) の点線は最高濃度２．３で２．０５以上の濃度範囲が変更されるＬＵＴであり、図８(e) の点線は最高濃度２．１で１．９以上の濃度範囲が変更されるＬＵＴであり、図８(f) の点線は最高濃度２．４５で１．９以上の濃度範囲が変更されるＬＵＴである。
【０２１３】
また、例えば図９(a)(b)のＬＵＴが挙げられる。図９(a)の点線のＬＵＴは、濃度の低い側の濃度領域において濃度を上げるＬＵＴであり、図９(b)の点線のＬＵＴは、濃度の低い側の濃度領域において濃度を下げるＬＵＴである。
【０２１４】
図７及び図８の例においては、実線と横軸の接点から点線と実線の接点までの実線及び点線と実線の接点からの点線と縦軸の接点までの点線が黒強調ＯＮのＬＵＴであり、実線は黒強調ＯＦＦのＬＵＴである。すなわち、横軸に接している部分から点線と接している部分までの実線は黒強調ＯＮの場合も黒強調ＯＦＦの場合も共通しているため、本発明において用いられる変更前のＬＵＴと変更後のＬＵＴの大部分は共通しており、実質的に一部分のみが変更されたものである。
【０２１５】
露光デバイスの設定が、入力信号の値が大きいほど明るくなるように設定されている場合には、信号値が大きいほど露光量が大きくなり、露光量が大きいほど出力濃度があがるハロゲン化銀カラー印画紙を用いるとＬＵＴは図８や図９に示すように減少の形となる。本実施の形態において用いられるＬＵＴは、画像データ、露光デバイス及び印画紙等の特性によっては増加の形のＬＵＴであってもよい。
【０２１６】
ＲＧＢ画像データの場合は、ＲＧＢ３色のＬＵＴのうち少なくとも１つを変更すればよい。明度の視覚特性を考慮するとＧを変更することが好ましい。さらに、黒の色バランスの点では２色を変更することが好ましく、明度の視覚特性からＧとＲを変更することが好ましい。黒の色バランスの点からは３色のＬＵＴを変更するのが最も好ましい。
【０２１７】
また、上記においては、色別の１次元ＬＵＴを用いているが、ＲＧＢ値の組み合わせ毎にテーブルの値を持つ色変換のための３次元ＬＵＴを用いてもよい。
【０２１８】
また、ＣＭＹＫ露光の場合においては、Ｃ，Ｍ，Ｙ，ＫのＬＵＴのうちのいずれか一つのＬＵＴを変更すればよいが、複数のＬＵＴを変更することとしてもよい。いずれか一つのＬＵＴを変更する場合は、Ｃ，Ｍ，Ｙ，ＫのＬＵＴのうちのいずれのＬＵＴでも構わないが、黒の視覚特性を考慮するとＫのＬＵＴを変更することが好ましい。また、複数のＬＵＴを変更する場合には、変更する数および選択するＬＵＴはＣ，Ｍ，Ｙ，ＫのいずれのＬＵＴでも構わないが、黒の視覚特性を考慮するとＣ，Ｍ，Ｙ及びＫの全てのＬＵＴを変更することが好ましい。２色のＬＵＴを変更する場合は、黒の視覚特性を考慮してＣ、Ｍ及びＹのＬＵＴを変更することが好ましい。
【０２１９】
出力用画像処理部２２は、例えばＣＰＵを備えて構成されており、画像処理部１３から転送されてきた画像データにつき画像記録部１４と記録材料の特性に応じてＬＵＴや空間フィルタを用いて補正を行ったり、光量の変動に応じたキャリブレーションを行ったりする。
【０２２０】
露光現像処理部２３は、制御部２の制御にしたがって、画像データに基づいて図示しないマガジンから引き出されたハロゲン化銀カラー印画紙等のハロゲン化銀カラー感光材料に露光し、露光されたハロゲン化銀カラー感光材料を現像処理部に送り、適切な現像処理によるプリントを行う。
【０２２１】
画像記録部１４は、読み込んだ画像データから画像を形成するものであればよく、例えば、インクジェット方式、電子写真方式、感熱方式、昇華方式の画像記録装置であってもよい。ここで作成されたプリントはトレー１２に排出される。
【０２２２】
なお、図１に示す画像記録装置１は、操作部３、フィルムスキャナ部４、反射原稿入力部５、画像読込部６、表示部９、画像書込部１０及び画像記録部１４が、一体となっている装置の構造をとっているが、いずれか一つ以上の別体として設けてもよい。また、他のフィルムスキャナや反射原稿入力装置やプリンタ等を接続してもよい。その場合は、装置毎の固有の処理が画像処理部１３で行われる。
【０２２３】
次に、第一の実施の形態の作用について図４〜図１０を参照して説明する。
【０２２４】
なお、ここにおいては画像処理部１３において作成された画像データにおいて黒の「しまり」の問題が生じているものとし、ここにおいては、ＬＵＴの変更が実質的に一部分であり、その変更は高濃度部とする。
【０２２５】
まず、フィルムスキャナ部４、反射原稿入力部５、画像読込部６又は通信部７のいずれかから画像データが入力されると（Ｓ１）、その画像データは画像処理部１３に転送される（Ｓ２）。画像処理部１３に画像データが転送されると制御部２は記憶部１１からプログラムを読み出し、必要に応じて、各種画像調整による「絵作り」やトリミングやサイズ変換等の画像処理後の画像データが表示部９に表示され、併せて出力用画像処理部２２にも転送される（Ｓ３）。
【０２２６】
次に、オペレータが操作部３を操作して操作信号を入力し表示部９に、例えば図３に示すような黒強調モード選択画面を表示させ（Ｓ４）、さらに操作部３を操作して画面上の「黒強調ＯＮ」の部分を選択すると黒強調モードをＯＮにする操作信号が制御部２に出力され、制御部２から画像記録部１４のＬＵＴ格納部２１に対してＬＵＴ切換信号が転送される（Ｓ５）。
【０２２７】
ＬＵＴ切換信号を受信したＬＵＴ格納部２１からは黒を強調する図７(a)〜図７(c)の点線のＬＵＴが出力用画像処理部２２に転送され（Ｓ６）、出力用画像処理部２２のＬＵＴ記憶領域に黒強調ＯＦＦとしてすでに設定されていた図７(a)〜図７(c)の実線のＬＵＴが黒強調ＯＮの点線のＬＵＴに変更される（Ｓ７）。
【０２２８】
そして、画像データをプリントするための操作を操作部３で行うと出力用画像処理部２２及び露光現像処理部２３で所定の処理が行われ、ハロゲン化銀カラー感光材料に記録されたプリントがトレー１２に排出される（Ｓ８）。
【０２２９】
このようにして、黒強調されて「しまり」のあるプリントを得ることができる。
【０２３０】
なお、上記の例においては、Ｓ３の後にＳ４が行われているが、予めＳ４を行って黒強調をＯＮに設定しておいてから、Ｓ１の作業を開始することとしてもよい。この場合においては、画像データをプリントするための操作を操作部３で行うとＳ３〜Ｓ８が順次行われる。
【０２３１】
また、入力メディアに応じて黒強調のＯＮ又はＯＦＦを選択できることとしてもよい。この場合においては、操作部３を操作して、図示しない画像調整モード画面を表示部９に表示させた後に、例えば図４に示すような画面を表示させる。そして、操作部３を操作してメディア毎に黒強調のＯＮ又はＯＦＦの設定を予め行っておく。
【０２３２】
なお、ネガ、リバーサル、Ｐ to Ｐ、デジカメについては、黒の「しまり」を重視して黒強調をＯＮ、メディアについては画像と文字が合成されている場合に文字の「にじみ」が少ないことを重視して黒強調ＯＦＦとすることが望ましい。このような設定を予め行うことで、ネガ、リバーサル、Ｐ to Ｐ、デジカメの場合は、黒の「しまり」のある良好なプリントをメディアで画像と文字が合成されている場合は、にじみの少ない良好なプリントを得ることができる。
【０２３３】
その後、画像入力部から画像データが入力されると、画像処理部１３で必要に応じて「絵づくり」等の所定の処理が行われ、処理後の画像データが出力用画像処理部２２に出力される。制御部２においては入力メディアの種類が認識され、黒強調モードをＯＮ又はＯＦＦとするためのＬＵＴ切換信号がＬＵＴ格納部２１に対して出力される。ＬＵＴ格納部２１においてＬＵＴ切換信号が受信されるとＬＵＴ格納部２１からＬＵＴが出力用画像処理部２２に転送され、出力用画像処理部２２のＬＵＴ記憶領域のＬＵＴが変更され、画像データをプリントするための操作を操作部３で行うと、出力画像処理部２２及び露光現像処理部２３で適切な所定の処理が行われ、ハロゲン化銀カラー感光材料に記録されたプリントがトレー１２に排出される。
【０２３４】
これによって、メディアごとに、「にじみ」が無く「しまり」のある高画質なプリントを容易に得ることができる。
【０２３５】
また、さらにプリントする画像単位で行うこととしてもよい。この場合も画像入力部から画像データが入力されると、画像処理部１３で必要に応じて「絵作り」等の所定の処理が行われ、処理後の画像データが出力用画像処理部２２に出力される。その後、操作部３を操作して、表示部９に図示しない画像調整モード選択画面を表示させた後に例えば図５に示すような画面を表示させる。
【０２３６】
そして、オペレータが所望の画像が表示されたエリアをカーソルボタンＳＣ３で選択して画質調整ボタンＳＣ４を操作して「絵作り」を行った後に、黒強調ボタンＳＣ７を操作することで、選択したエリアの画像データについて黒強調をＯＮ又はＯＦＦにする指定した情報が記憶される。そして、黒強調指定の有無については、黒強調有無確認部５２に表示される。また、不要な画像はＰＡＳＳボタンＳＣ５で選択して黒強調のＯＮ又はＯＦＦの調整を行わないこととしてもよい。
【０２３７】
このような操作を各画像データについて行った後、サイズ／枚数指定ボタンＳＣ１及びプリントボタンＳＣ６を操作してプリントを開始させる
【０２３８】
このとき、画像データ毎に記憶された黒強調のＯＮ又はＯＦＦの指定した情報に基づき、画像データ毎に制御部２から画像記録部１４のＬＵＴ格納部２１に対してＬＵＴ切換信号が出力されて、出力用画像処理部２２のＬＵＴが変更されることにより、画像データ毎に指定された黒強調の条件で、露光されて現像されることにより、画像データ毎に「にじみ」が無く「しまり」のある高画質なプリントを順次得ることができる。
【０２３９】
表示部ＳＣ５８を確認して次ページがある場合には、次頁に移り同様の作業を行う。全画像データについてプリントが終了した場合には、受付画面に戻る。
【０２４０】
また、上記においては、黒強調のＯＮ及びＯＦＦの二段階の切り換えのみを行っているが、ＬＵＴを複数用意して、濃度の調整を多段階で行うことにより、より精密な調整をすることができる。
【０２４１】
この場合においては、例えば、濃度の連続性を重視して画像データの調整を行うために最高濃度を固定して変更する濃度域を変更するものである図８(a)(b)(c)及び(d)に示す一組のＬＵＴを用意したり、変更しない濃度域の画質が変わらないことを重視した調整を行うために図８(a)(e)及び(f)に示す一組のＬＵＴを用意したりするものである。また図８(a)〜図８(f)の中から任意に選択できることとしてもよい。
【０２４２】
また、上記の場合の例においては、高濃度部のみ変更するＬＵＴについて例を挙げたが、本発明において変更するＬＵＴは高濃度部を変更するものに限らず、全ての領域において一部分を変更したＬＵＴに変更することが可能である。例えば図９(a)又は図９(b)に示すように低濃度部の側の領域の濃度を変更したＬＵＴに変更して画質を調整することとしてもよい。
【０２４３】
また、上記の例においては、予めＬＵＴを複数用意しておき、その中から選択して切り換える方式であるが、特定のＬＵＴをもとに、計算等で変更してもよい。
【０２４４】
以上のように、本実施の形態に係る発明によれば、画像記録部１４においてオペレータの操作によりＬＵＴを変更し又は制御部２がＬＵＴを自動的に変更するのでＬＵＴを変更するため、画像処理部１３で作成された汎用画像データの汎用性を損なうことなく、画像記録部１４の特性に応じて画像データの濃度の操作を行うことができる。
【０２４５】
また、例えば、高濃度部などの特定の濃度部について、実質的に一部分のみを変更したＬＵＴに変更するため、所望の濃度範囲のみを変更するため、画質を悪化させることなく所望の濃度範囲の濃度のみを変更することができる。
【０２４６】
また、ＬＵＴを変更することで少なくとも二色以上の濃度を変更するので画像データの色のバランスを良好に保ちながら高画質のプリントを得ることができる。特に、変更前のＬＵＴと高濃度部のみが異なるＬＵＴに変更する場合には、黒協調ＯＮとして色のバランスを保ちつつ黒の領域の「しまり」を増したり、黒協調ＯＦＦとして文字等の「にじみ」を解消したりすることができる。
【０２４７】
また、高濃度部の数値のみが異なるＬＵＴに変更することで、画質の劣化を生じさせることなく黒の「にじみ」を解消することができる。
【０２４８】
また、熱転写プリンタでは、発熱量が多いと記録ヘッドの寿命が短くかくなり、また、発熱量が多い場合に温度が下がりきらないうちに次のプリントを開始すると、熱履歴により次のプリントの濃度が高くなるためプリントする間隔を空ける必要があるため連続してプリントをするのに時間が係る等の問題がある。しかし、出力用画像処理部においてＬＵＴを変更して適切な濃度でプリントを行うことで、画像データの汎用性を損なうことなく必要以上の発熱を抑制して記録ヘッドの寿命を延ばすことができる。また、発熱量を抑えることで温度を下げるのに必要な時間が短くなるため連続してプリントする時間を短縮することができる。
【０２４９】
また、複数のＬＵＴから選択することができるため、例えばＬＵＴの最高濃度を固定しつつ濃度を変更する領域の異なる複数のＬＵＴを用意して、それらのＬＵＴの中から濃度の連続性を重視しながらそのシーンに最適なＬＵＴを選択したり、ＬＵＴの変更を開始する濃度が同一で濃度を変更する領域の異なる複数のＬＵＴを用意して、それらのＬＵＴの中から画質を重視しながらそのシーンに最適なＬＵＴを選択したりするなど、シーンや調整の目的に応じた緻密な画像の調整を行うことが可能となる。
【０２５０】
また、入力メディア毎の画像データの特性に応じてＬＵＴを変更して濃度を調整することができる。例えば、ネガフィルムのように文字画像が含まれる可能性の少ない入力メディアについては「しまり」を重視すればよいため高濃度部の濃度を上げたＬＵＴに変更する設定にし、ＰＣカード等の文字画像が含まれる可能性の高い入力メディアについては「にじみ」の問題を重視すればよいため高濃度部の濃度を下げたＬＵＴに変更する等、入力メディア毎にその特性に応じたＬＵＴに変更できるため、入力メディア毎に高画質のプリントを得ることができる。
【０２５１】
次に本発明の第２の実施形態について説明する。ただし、本第２の実施形態は前述の第１の実施形態における制御部２における制御と表示部９に黒強調モード選択画面が表示されない点が異なるのみで、それ以外の構成は上記第１の実施形態におけると同様である。本第２の実施形態では制御部２を中心とした説明を行い、前述の第１の実施形態と同様の構成については説明を省略する。
【０２５２】
制御部２はフィルムスキャナ部４等から入力される画像データの内容を判別して画像を分類し、その分類した結果に基づいてＬＵＴ切換信号を出力し、ＬＵＴを変更するようになっている。画像データの判別の具体例として、シーン属性の判別の例を以下に示す。
【０２５３】
まず、フィルムスキャナ部４等から画像データを入力し、その画像データから被写体パターンを抽出する。ここで、制御部２には、例えば、抽出した被写体パターンが「新婦／新郎／顔／ドレス／スポットライト」であれば「結婚披露宴」、「顔／制服を着た人物／歴史建築（和建築）」であれば「修学旅行・京都」のような組み合わせが、抽出パターンに応じて予め記憶されている。制御部２は抽出された被写体パターンから予め記憶されている組み合わせを選択する。
【０２５４】
そして、入力されたメディアから取得できる情報があればそれらを取得して参酌することによりシーン属性を決定する。また、過去に顧客が注文した処理画像のシーン属性の傾向が制御部２に記憶されている場合は、その傾向をも参酌してシーン属性を決定する。それらのいずれもが無い場合においては、抽出した被写体パターンからシーン属性を決定する。
【０２５５】
なお、シーン属性とは、その写真の主たる目的とするもののことを言い、例えば旅行写真、アウトドア、イベント写真、ネイチャーフォト、ポートレート等を挙げることができる。
【０２５６】
また、被写体パターンとは、人物、特定衣類（制服、スポーツのユニフォーム等）を着た人物、建物（和、洋、近代、歴史、宗教建築等）の様な、また、更には、雲、青空、海の様な、画像内に存在する、認識可能な別個、特定の被写体を意味する。
【０２５７】
また、被写体パターンを抽出する手法については、前述の被写体パターンを抽出できるものであれば制限は無く、例えばテンプレートマッチング等の公知の手法を用いることができる。
【０２５８】
そして、制御部２は前述のように決定されたシーン属性に対応したＬＵＴに変更する。なお、変更するＬＵＴは、ＬＵＴより計算によって算出することとしてもよい。
【０２５９】
次に、本発明の第２の実施形態の作用について図１１に記載のフローチャートに基づいて説明する。
【０２６０】
フィルムスキャナ部４等のいずれかから画像データが入力されると（Ｓ１１）、画像データは画像処理部１３に転送された後（Ｓ１２）、第１の実施形態と同様の処理を行った後に画像が表示部９に表示され、併せて出力用画像処理部２２にも転送される（Ｓ１３）。そして、制御部２は画像処理部１３に転送された画像データより前述の手法によりシーン属性の判別を行い画像を分類する（Ｓ１４）。その結果に基づいてＬＵＴ格納部２１にＬＵＴ切換信号をＬＵＴ格納部２１に出力する（Ｓ１５）。そして、前述の第１の実施形態と同様にＬＵＴを出力用画像処理部２２に転送し（１６）、ＬＵＴ切換信号に対応したＬＵＴをＬＵＴ格納部２１から出力されてきたＬＵＴに変更し（Ｓ１７）、その後露光現像を行う（Ｓ１８）。
【０２６１】
以上のように、本実施の形態に係る発明によれば、画像データからシーン属性、即ち画像データの内容を、オペレータ自身が判別して又は制御部２が自動的に判別して画像データを分類することができた場合は適切なＬＵＴに変更することができるので、「にじみ」が無く「しまり」のある高画質のプリントを得ることができる。
【０２６２】
次に本発明の第３の実施形態について説明する。ただし、本第３の実施形態は前述の第１の実施形態における制御部２における制御と表示部９に黒強調モード選択画面が表示されない点が異なるのみで、それ以外の構成は上記第１の実施形態におけると同様である。本第３の実施形態では制御部２を中心とした説明を行い、前述の第１の実施形態と同様の構成については説明を省略する。
【０２６３】
制御部２は、フィルムスキャナ４等から入力される画像データの中の文字・画像等の情報を判別し、その判別した結果に基づいてＬＵＴ切換信号を出力して、ＬＵＴを変更するようになっている。
【０２６４】
判別する手段としては、例えば、一定の領域をブロック化して画像情報を取り出し、中間調画像（絵）か、２値画像（線画を含む文字）かの判別処理を行う。次にこの判別した絵・文字情報に基づき絵の情報量を求めてその情報量が多い画像情報であるかどうかを判定する。
【０２６５】
そして、文字の情報の比率が特定比率以下であるか否か及び絵の情報の比率が特定比率以上であるか否か等の基準によりさらに判定を行い画像を分類する。そして、その画像を分類した結果に応じてＬＵＴをＬＵＴ格納部２１に格納されているＬＵＴに変更する。例えば、文字の比率が多いと判定された画像は黒強調がＯＦＦとされ「にじみ」の発生を防止した、「しまり」のあるプリントを得られるようになっている。逆に、絵の比率が多いと判定された画像は黒強調がＯＮとされ「しまり」のあるプリントを得られるようになっている。
【０２６６】
なお、変更するＬＵＴは、ＬＵＴより計算によって算出することとしてもよい。このことは、後述する第４〜第９の実施の形態においても同様である。
【０２６７】
以上のように本実施の形態に係る発明によれば、自動的に画像データの内容を判別して画像データの分類行い、その分類から濃度調整に必要な情報を得て適切なＬＵＴに変更することができるので、「にじみ」が無く「しまり」のある高画質のプリントを得ることができる。
【０２６８】
次に、本発明の第３の実施形態の作用について図１２に示すフローチャートに基づいて説明する。
【０２６９】
フィルムスキャナ部４等のいずれかから画像データが入力されると（Ｓ２１）、画像データは画像処理部１３に転送された後（Ｓ２２）、第１の実施形態と同様の処理を行った後に画像が表示部９に表示され、併せて出力用画像処理部２２にも転送される（Ｓ２３）。そして、制御部２は画像処理部１３に転送された画像データについて文字・絵の比率の判定を行い画像を分類する（Ｓ２４）。その結果に基づいてＬＵＴ格納部２１にLUT切換信号をＬＵＴ格納部２１に出力する（Ｓ２５）。そして、前述の第１の実施形態と同様にＬＵＴを出力用画像処理部２２に出力し（Ｓ２６）、ＬＵＴ切り換え信号に対応したＬＵＴをＬＵＴ格納部２１から出力されてきたＬＵＴに変更し（Ｓ２７）、その後露光現像を行う（Ｓ２８）。
【０２７０】
以上のように、本実施の形態に係る発明によれば、制御部２が前述の手法により画像データの文字と絵の比率を判定することにより、画像データの文字と絵の比率に応じて適切なＬＵＴに変更することができるので、「にじみ」が無く「しまり」のある高画質のプリントを得ることができる。
【０２７１】
次に本発明の第４の実施形態について説明する。ただし、本第４の実施形態は前述の第１の実施形態における表示部９に表示される画面が異なるのみで、それ以外の構成は上記第１の実施形態と同様である。本第４の実施形態では表示部９を中心とした説明を行い、前述の第１の実施形態と同様の構成については説明を省略する。
【０２７２】
表示部９には例えば、図１３に示す設定情報である感光材料の種類を選択する画面が表示されるようになっている。画面には、感光材料の種類につき品種の点からは、例えば、一般用ペーパーかプロ用ペーパーかを選択するための一般ペーパー（Ａ社）、一般ペーパー（Ｂ社）、一般ペーパー（Ｃ社）、プロ用ペーパー（Ａ社）、プロ用ペーパー（Ｂ社）を選択するためのチェックボックスＳＣ１０が設けられている。
【０２７３】
また、品種につき他にもカラー及びモノクロームを選択できるようにチェックボックスＳＣ１１が設けられている。
【０２７４】
またさらに、感光材料の面質の点からも選択できるようになっており、グロッシー、シルク、ラスター、マット、ディープマット、及びクリスタルを選択することができるチェックボックスＳＣ１２が設けられている。また、オペレータが選択した設定を登録するための登録ボタンＳＣ１３、及び一つ前の画面に戻るための戻るボタンＳＣ１４が備えられている。
【０２７５】
そして、オペレータが操作部を操作して感光材料の種類を選択し、選択内容を登録ボタンＳＣ１３により確定するとＬＵＴがオペレータの選択した感光材料の種類に最適なＬＵＴに変更されるようになっている。
【０２７６】
上記のプロ用ペーパーとは一般的に使用されている印画紙であるアマ用ペーパーに比較して一般に乳剤の塗布量が多い印画紙である。感光材料は塗布されている乳剤の量の多寡により現像に最適な時間は異なり、一般に乳剤が多く塗られている場合に高濃度部を鮮明に発色させるためには現像時間を長くする必要がある。また、乳剤の塗布量により高濃度部の濃度特性が異なる。
【０２７７】
そこで、感光材料の特性を考慮して例えば黒強調ＯＮ、黒強調ＯＦＦのＬＵＴの切り換え及び印画紙の搬送速度を変更することで「にじみ」が無く「しまり」のあるある高画質のプリントを得ることができる。
【０２７８】
即ち、プロ用ペーパーは、アマ用ペーパーに対して現像時間を長くすることで高濃度部において鮮明に発色できるという特徴を有する。そのため、プロ用ペーパーついては現像機器内におけるペーパーの搬送速度をアマ用ペーパーに対して低速にすることで高濃度部の発色を良好に行うことが可能となる。
【０２７９】
なお、製造している会社によってプロ用ペーパー及びアマ用ペーパーにそれぞれ塗布されている乳剤の量が異なるなど、高濃度部の濃度特性が異なる場合があるため、図１３に示す画面のように同じプロ用ペーパー又は一般用ペーパーであっても、製造している会社別に選択できるようになっている。
【０２８０】
感光材料の品種として、例えば感光材料がカラープリント用感光材料かモノクローム用感光材料かによっても高濃度部の発色を良好に行わせるＬＵＴは異なるため、それぞれに最適なＬＵＴを選択できるようにカラー選択ボタンＳＣ１６及びモノクローム選択ボタンＳＣ１７を設けられている。
【０２８１】
また、感光材料の面質によっても高濃度部の発色特性は異なる。例えば、標準が黒強調設定ＯＦＦにされている場合に、グロッシーでは問題なくても面質がシルクの感光材料にプリントを行うと、高濃度部の濃度が低いためプリント画像に「しまり」がなくなってしまう。そこで、オペレータが操作部３を操作して感光材料がシルクの場合は画面上でシルクを選択するとＬＵＴがＬＵＴ格納部２１に格納されているシルクにプリントする際に黒強調されるＬＵＴに変更されて「しまり」のあるプリントを得られるようになっている。
【０２８２】
なお、前述のグロッシーとは「光沢滑面」を、シルクとは「半光沢絹目」を、ラスターとは「半光沢微粒面」を、マットとは「半光沢滑面」を、ディープマットとは「無光沢滑面」を、クリスタルとは「超光沢」をそれぞれ意味する。
【０２８３】
上記においては、画面の表示からオペレータが感光材料の種類を選択するようになっているが、露光現像処理部２３に接続する図示しないマガジンより感光材料の種類に関する情報を認識することとしてもよい。例えば、マガジンの外壁にマガジンに収納されている感光材料の情報を読み取ることができる表示部を設け、更にマガジンが接続される露光現像処理部２３に表示読取部を設ける。そして、マガジンを露光現像処理部２３に接続した際に表示読取部がマガジンに備えられた表示部から収納されている感光材料の情報を読み取り、その情報を制御部２に伝達する。これにより制御部２は現像時において画像記録部１４のＬＵＴ格納部２１に対してＬＵＴ切換信号を出力し、出力用画像処理部２２のＬＵＴをマガジンに収納されているペーパーに最適なＬＵＴに切り換えるものである。
【０２８４】
また、さらにマガジンの外壁の他の所定の位置には、収容した感光材料の幅を表示する図示しない幅表示部が設けることとしてもよい。ここで用いるマガジンは感光材料を暗室状態にして運ぶことができるものであり、例えば感光材料のロールを収容した略直方体のロールマガジンが挙げられる。
【０２８５】
なお、図１３に示す画面においては、感光材料の品種、及び面質のそれぞれについて選択できるようになっているが、必ずしもこれらの全ての要素について選択できるようになっている必要は無い。例えば、プロ用ペーパーかアマ用ペーパーかの選択の選択だけをする画面や感光材料がカラープリント用感光材料かモノクローム用感光材料かの選択と感光材料の面質をのみ選択できることとしてもよい。
【０２８６】
次に、本発明の第４の実施形態の作用について図１４に示すフローチャートに基づいて説明する。
【０２８７】
フィルムスキャナ部４等のいずれかから画像データが入力されると（Ｓ３１）、画像データは画像処理部１３に転送された後（Ｓ３２）、第１の実施形態と同様の処理を行った後に画像が表示部９に表示され、併せて出力用画像処理部２２にも転送される（Ｓ３３）。
【０２８８】
次に、オペレータが操作部３を操作して操作信号を入力し表示部９に、例えば図１３に示すような感光材料の種類を選択する画面を表示させ（Ｓ３４）、さらに操作部３を操作して画面に表示された感光材料の種類につき該当するものを選択し、登録ボタンＳＣ２４を押すと選択した面質に最適なＬＵＴに変更する操作信号が制御部２に出力され、制御部２から画像記録部１４のＬＵＴ格納部２１に対してＬＵＴ切換信号が出力される（Ｓ３５）。
【０２８９】
そして、その後第１の実施形態と同様の処理が行われた後にハロゲン化銀カラー感光材料に記録されたプリントがトレー１２に排出される（Ｓ３６〜Ｓ３８）。
【０２９０】
以上のように本実施の形態に係る発明によれば、設定情報である感光材料の種類又は感光材料の現像機器内の搬送速度の少なくとも一つに応じてＬＵＴを変更して高濃度調整を行い、「にじみ」が無く「しまり」のある高画質のプリントを得ることができる。
【０２９１】
また、オペレータが入力しなくても感光材料を収納したマガジンから感光材料に関する情報を自動的に取得して「にじみ」が無く「しまり」のある高画質のプリントを得ることができる。
【０２９２】
なお、本実施の形態においては、画像データ入力後に画面において設定を変更することとしているが、画像データの入力前に設定を変更しておくこととしてもよい。このことは、第５の実施形態においても同様である。
【０２９３】
次に本発明の第５の実施形態について説明する。ただし、本第５の実施形態は前述の第１の実施形態における表示部９に表示される画面が異なるのみで、それ以外の構成は上記第１の実施形態と同様である。本第５の実施形態では表示部９を中心とした説明を行い、前述の第１の実施形態と同様の構成については説明を省略する。
【０２９４】
表示部９には例えば、図１５に示す設定情報である現像の種類を選択することができる画面が表示されるようになっている。この画面には、処理剤の種類及び現像処理機器の種類が表示され、オペレータは操作部３を操作することによって画像データをプリントするにあたり用いる処理剤及び現像機器を選択することができるようになっている。この画面では、現像処理材についてＡ社のタイプ１、Ａ社タイプ２、Ｂ社及びＣ社のうちから選択できるようにチェックボックスＳＣ２１が設けられている。
【０２９５】
また、現像機器についても高速タイプのＡＡＡ１、中速タイプのＡＡＡ２、低速タイプのＡＡＡ３及びコンパクトタイプのＢＢＢ１から選択できるようにそれぞれのチェックボックスＳＣ２２が設けられている。また、オペレータが選択した設定を登録するための登録ボタンＳＣ２３、及び調整画面に戻るための戻るボタンＳＣ２４が備えられている。
【０２９６】
そして、オペレータが操作部３を操作して画面に表示された処理剤及び現像機器を選択するとＬＵＴ格納部２１にＬＵＴ切換信号が出力され、ＬＵＴ格納部２１から選択された処理剤と現像機器の組み合わせによって、画像データをプリントした場合に「にじみ」がなく、「しまり」のあるプリントが可能なＬＵＴが出力用画像処理部２２に転送される。ＬＵＴは出力用画像処理部２２に転送されたＬＵＴに変更されて露光現像処理部２３で所定の処理が行われた後に黒強調のされたプリントを得ることができるようになっている。
【０２９７】
現像の際に用いる現像液の種類に違いがあるとプリントを行った際のプリントの濃度、特に高濃度部の濃度特性に相違が生じる場合がある。
【０２９８】
また、現像機器の種類によってもプリントの濃度特性が異なる場合がある。現像は一般に現像、定着、水洗等の工程を備え、印画紙は各工程において所定の液（例えば、現像工程においては現像液）に浸された後に次の工程に搬送される。そして、ある工程から他の工程に搬送される際（以下、このある工程から他の工程に搬送される際の状態を「渡り」という）、フィルムは空気中に晒されることになる。現像機器の種類が異なると現像機器内において所定の液に浸される時間及び渡りの時間が異なる場合があり、プリントした際の濃度、特に高濃度部の濃度に影響する場合がある。
【０２９９】
そこで、現像の種類の特性、即ち、使用する現像液及び現像機器の特性を考慮して、例えば黒強調ＯＮ、黒強調ＯＦＦのＬＵＴの切り換えをすることで「にじみ」が無く「しまり」のある高画質のプリントを得ることができる。
【０３００】
そして、露光現像処理部２３は露光を行う部分と現像を行う部分を一体として形成するものであってもよいが、それぞれ別体となっている露光する機器と現像機器を任意の組み合わせにより露光現像処理部を形成することとしてもよい。そのため、同じデジタルミニラボであっても、用いる現像機器が高速で現像するものである場合や低速で現像するものである場合が生じうるので、現像機器の種類も考慮してＬＵＴを変更する必要がある。
【０３０１】
なお、現像機器に最適なＬＵＴの選択については前述のようにオペレータが自ら操作するのではなく、制御部２が自動的に最適なＬＵＴを選択することとしてもよい。例えば、現像機器の種類について、現像機器の外壁に現像機器の情報を読み取ることができる表示部を設け、更に現像機器が接続される露光部に表示読取部を設け、現像機器内において感光材料が液中にある時間及び渡りの時間を読み取り、当該現像機器に最適なＬＵＴを制御部が自動的に選択することとしてもよい。
【０３０２】
現像液についても同様に現像機器から情報を読み取り、用いられる現像液に最適なＬＵＴを選択することとしてよい。
【０３０３】
次に、本発明の第５の実施形態の作用について図１６に示すフローチャートに基づいて説明する。
【０３０４】
フィルムスキャナ部４等のいずれかから画像データが入力されると（Ｓ４１）、画像データは画像処理部１３に出力された後（Ｓ４２）、第１の実施形態と同様の処理を行った後に画像が表示部９に表示され、併せて出力用画像処理部２２にも転送される（Ｓ４３）。
【０３０５】
次に、オペレータが操作部３を操作して操作信号を入力し表示部９に、例えば図１５に示すような画面を表示させ（Ｓ４４）、さらに操作部３を操作して画面に表示された現像液及び現像機器についてそれぞれ一つを選択し、登録ボタン３３を押すと選択した現像液及び現像機器を使用してプリントする際に最適なＬＵＴに変更する操作信号が制御部２に出力され、制御部２から画像記録部１４のＬＵＴ格納部２１に対してＬＵＴ切換信号が出力される（Ｓ４５）。
【０３０６】
そして、その後第１の実施形態と同様の処理が行われた後にハロゲン化銀カラー感光材料に記録されたプリントがトレー１２に排出される（Ｓ４６〜Ｓ４８）。
【０３０７】
以上のように本実施の形態に係る発明によれば、設定情報である現像の種類に応じてＬＵＴを変更して高濃度調整を行い、「にじみ」が無く「しまり」のある高画質のプリントを得ることができる。
【０３０８】
次に本発明の第６の実施形態について説明する。ただし、本第６の実施形態は前述の第１の実施形態における制御部２が異なるのみで、それ以外の構成は上記第１の実施形態と同様である。本第６の実施形態では制御部２を中心とした説明を行い、前述の第１の実施形態と同様の構成については説明を省略する。
【０３０９】
制御部２は、現像処理量（プリントのサイズ及び枚数）をカウントして一定期間内の現像処理量に応じてＬＵＴの変更を行うようになっている。
【０３１０】
現像液の種類によっては所定の期間内における現像処理量によって、プリントした際の濃度特性、特に高濃度部における濃度特性が変動する。そのため、予め現像液や定着液等の種類ごとに、現像処理量に応じて濃度特性がどのように変化するのかを事前に測定しておき、後述する露光現像処理部２３から送られてくる現像処理量のデータに応じてＬＵＴを、その時点における現像液等の状態から例えば黒強調ＯＮ、黒強調ＯＦＦのＬＵＴの切り換えを行うことにより、「しまり」のあるプリントを得られるようになっている。
【０３１１】
なお、本実施の形態においては、稼動状態情報に基づいて制御部２が自動的に黒強調ＯＮ又はＯＦＦの設定をすることとしているが、稼動状態情報をプリントアウトしたり、表示部９に表示したりしてそれに基づいてオペレータが操作部３を操作して黒強調ＯＮ又はＯＦＦの設定を行うこととしてもよい。
【０３１２】
次に、本発明の第６の実施形態の作用について図１７に基づいて説明する。
【０３１３】
図フィルムスキャナ部４等のいずれかから画像データが入力されると（Ｓ５１）画像データは画像処理部１３に出力された後（Ｓ５２）、第１の実施形態と同様の処理を行った後に画像が表示部９に表示され、併せて出力用画像処理部２２にも転送される（Ｓ５３）。
【０３１４】
制御部２においては、現像処理量を認識し（Ｓ５４）で、そのカウントに応じてプリントを行うのに最適なＬＵＴに変更するように画像記録部１４のＬＵＴ格納部２１に対してＬＵＴ切換信号が出力される（Ｓ５５）。
【０３１５】
そして、その後第１の実施形態と同様の処理が行われた後にハロゲン化銀カラー感光材料に記録されたプリントがトレー１２に排出される（Ｓ５５〜Ｓ５８）。
【０３１６】
以上のように本実施の形態に係る発明によれば、稼動状態情報に応じてＬＵＴを変更して高濃度調整を行い、「にじみ」が無く「しまり」のある高画質のプリントを得ることができる。
【０３１７】
次に本発明の第７の実施形態について説明する。ただし、本第７の実施形態は前述の第１の実施形態における制御部２が異なるのみで、それ以外の構成は上記第１の実施形態と同様である。本第７の実施形態では制御部２を中心とした説明を行い、前述の第１の実施形態と同様の構成については説明を省略する。
【０３１８】
制御部２は、後述する反射原稿入力部５から入力された高濃度部用のグレイプリントの測定結果に応じてＬＵＴの変更を行うようになっている。ＬＵＴの変更は事前に設定された高濃度の色バランスの種類に応じて準備されたＬＵＴに制御部２が入力結果に応じて変更するようになっている。また、入力結果を数値等で表示し、それに応じてオペレータが適切なＬＵＴを選択して変更することとしてもよい。
【０３１９】
稼動状態の一つである現像特性は日々変動するものである（現像変動）。この変動に対して、通常は使用前にキャリブレーションを行う。例えば、中間濃度のグレイ画像をプリントし、そのプリントを例えば反射原稿入力部５で入力して、濃度測定を行い、その結果に基づいて露光量を調整することでキャリブレーションを行う。しかし、高濃度部においては露光量の調整では十分ではないことが多い。特に黒強調の程度が問題となる場合はこのことが顕著である。そのため、高濃度のグレイ画像をプリントし、そのプリントを例えば反射原稿入力部５で入力して、濃度測定を行い、その結果に基づいて黒強調の程度の異なるＬＵＴの切り換えを行うものである。
【０３２０】
次に、本発明の第７の実施形態の作用について図１８のフローチャートに基づいて説明する。
【０３２１】
まずキャリブレーションを行い（Ｓ６１）、その後高濃度のグレイ画像をプリントし（Ｓ６２）、高濃度のグレイ画像のプリントを反射原稿入力部５から入力し（Ｓ６３）、制御部２が高濃度の色バランスの判定を行う（Ｓ６４）。
【０３２２】
そして、画像データが入力されると制御部２からＬＵＴ格納部２１に対して判定結果に対応したＬＵＴ切換信号が出力される（Ｓ６５）。ＬＵＴ切換信号が入力されたＬＵＴ格納部２１からは切換信号に対応したＬＵＴが前述の第１の実施形態と同様に出力用画像記録部２２に出力される（Ｓ６６）。出力用画像記録部２２においては、ＬＵＴがＬＵＴ格納部２１から出力されてきたＬＵＴに変更される（Ｓ６７）。
【０３２３】
以上のように本実施の形態に係る発明によれば、稼動状態情報の一つである現像特性の変動に応じてＬＵＴを変更して高濃度調整を行い、「にじみ」が無く「しまり」のある高画質のプリントを得ることができる。
【０３２４】
次に本発明の第８の実施形態について説明する。ただし、本第８の実施形態は前述の第１の実施形態における画面が異なるのみで、それ以外の構成は上記第１の実施形態と同様である。本第８の実施形態では表示部９を中心とした説明を行い、前述の第１の実施形態と同様の構成については説明を省略する。
【０３２５】
表示部９には、例えば、図１９に示すような黒強調設定を行う際における設定値の登録・変更、さらには画像データの種類に応じて詳細設定を行いカスタマイズするための画面が表示されるようになっている。画面には黒強調設定を画像データに応じて詳細に行うために複数のチャンネルを備えたチェックボックスＳＣ３１が備えられており、オペレータが任意のチャンネルを選択して設定できるようになっている。そして、黒強調設定を中止するための「戻るボタン」ＳＣ３２が備えられている。チャンネル３（Ｃｈ.３）をオペレータが選択すると、例えば、図２０に示すようなシーン毎に黒を強調する程度を選択することができる画面が表示される。この画面においては、選択できるシーンとして、ウエディング、夜景、文字入り、人物アップ及びその他が備えられている。そして、それぞれのシーンにおいて、黒強調の程度をレベル０（なし）、レベル１（小）、レベル２（中）及びレベル３（大）の四段階から、ユーザの好みに応じて設定することができるチェックボックスＳＣ４１が設けられている。
【０３２６】
なお、チェックボックスＳＣ３１には１０のチャンネルが備えられているが、チャンネルの数はこれに限定されるものではなく、これより多くても少なくてもよい。
【０３２７】
図２０に示すチェックボックスＳＣ４１においては、「ウエディング」、「夜景」、「文字入り」、「人物アップ」、「その他」の項目についてそれぞれの設定がされているが、チェックボックス３１においてチャンネル３以外のチャンネルを選択した場合には、図２０に示したチェックボックスの一部又は全部の項目においてチャンネル３とは異なる設定をしておくことができるようになっている。
【０３２８】
そして、それらの設定についても図２０に示すような画面を表示して操作部３を操作することで変更することができる。
【０３２９】
また、この画面にはオペレータが選択した設定を登録するための登録ボタンＳＣ４２及び黒強調設定を中止するための戻るボタンＳＣ４３が設けられており、オペレータがチェックボックスＳＣ４１の設定を行い、その設定の内容を登録ボタンＳＣ４２により登録すると設定の内容に応じてＬＵＴが変更されるようになっている。
【０３３０】
また、前述のチャンネルを選択した場合に表示される画面は図２０に示す画面に限らず、例えば図３に示す画面や図４に示す画面を表示して設定を変更できることとしてもよい。
【０３３１】
次に、本発明の第８の実施形態の作用について説明する。
【０３３２】
オペレータが操作部３を操作して操作信号を入力し表示部９に、図１９に示すような黒強調設定を表示させ、さらに操作部３を操作して画面に示された複数のチャンネルから所定のチャンネルを選択し、登録ボタンＳＣ４１を押して選択内容を確定する。すると図２０に示すチャンネルの内容が表示され、オペレータは操作部３を操作してチェックボックスＳＣ５１についてユーザの好みに等に応じてチャンネル設定の変更を行った後に登録ボタン５２を押し、設定内容を確定する。
【０３３３】
以上、本実施の形態に係る発明によれば、プリントを行う画像データについて想定される複数の条件を予め登録しておくことが可能であり、例えばユーザの好みに応じて画面を操作するだけで容易に設定を変更することができる。
【０３３４】
また、本発明によれば各チャンネルにおいて予め想定しうる複数の設定条件を定めておくことができるため、オペレータはプリントを行う作業を行うごとに全ての設定をし直すという煩雑な作業は不要となり、チャンネルを選択するだけで複数の設定を変更することができる。
【０３３５】
次に本発明の第９の実施形態について説明する。ただし、本第９の実施形態は前述の第１の実施形態における画面が異なるのみで、それ以外の構成は上記第１の実施形態と同様である。本第９の実施形態では表示部９を中心とした説明を行い、前述の第１の実施形態と同様の構成については説明を省略する。
【０３３６】
表示部９には、例えば、図２１に示すようなチャンネルを選択する画面を表示されるようになっている。この画面には、黒強調設定を画像データに応じて詳細に行うための複数のチャンネル１〜１０ついてそれぞれボタンＳＣ５１〜ＳＣ６０が備えられている。そして、一つ前の画面に戻るための「戻るボタン」ＳＣ６１が備えられている。
【０３３７】
この画面によると、チャンネルを選択すれば例えば、第８の実施形態で説明した図３、図４や図２０の画面に示す設定の内容のような予め設定されている内容をそのまま選択することができるようになっている。なお、チャンネルの数は図に示す数に限定されるものではなく、これより多くても少なくてもよい。
【０３３８】
次に、本発明の第９の実施形態の作用について図２２に示すフローチャートに基づいて説明する。
【０３３９】
フィルムスキャナ部４等のいずれかから画像データが入力されると（Ｓ７１）、画像データは画像処理部１３に転送された後（Ｓ７２）、第１の実施形態と同様の処理を行った後に画像が表示部９に表示され、併せて出力用画像処理部２２にも転送される（Ｓ７３）。そして、オペレータが操作部３を操作して操作信号を入力し表示部９に、図２１に示すようなチャンネル選択画面を表示させ（Ｓ７４）、さらに操作部３を操作して画面に示された複数のチャンネルから所定のチャンネルを選択する（Ｓ７５）。
【０３４０】
その結果に基づいてＬＵＴ格納部２１にＬＵＴ切換信号をＬＵＴ格納部２１に出力される（Ｓ７６）。そして、前述の第１の実施形態と同様にＬＵＴを出力用画像処理部２２に転送し（Ｓ７７）、ＬＵＴ切換信号に対応したＬＵＴをＬＵＴ格納部２１から出力されてきたＬＵＴに変更し（Ｓ７８）、その後露光現像を行う（Ｓ７９）。
【０３４１】
以上、本発明によれば、既に定められている設定を変更して例えばユーザの好みに応じたプリントを行うことが可能となる。
【０３４２】
また、本発明によれば各チャンネルにおいて予め想定しうる複数の設定条件を定めておくことができるため、オペレータはプリントを行う作業を行うごとに全ての設定をし直すという煩雑な作業は不要となり、チャンネルを選択するだけで複数の設定を変更することができる。
【０３４３】
また、本発明によれば、例えばユーザの好みにあわせて高濃度調整の詳細設定が可能とし、併せて「にじみ」が無く「しまり」のある高画質のプリントを得ることができる。
【０３４４】
なお、前述第２の実施形態、第３の実施形態、第４の実施形態、第５の実施形態及び第６の実施形態において画像関連情報の例として、画像データの分類、設定情報及び稼動状態情報が挙げられているが画像関連情報はこれに限らない。画像関連情報として例えば、ＡＰＳ（アドバンスフォトシステム）の対応の銀塩カメラでのフィルムの磁気層に記録された情報、Ｅｘｉｆ対応のデジタルカメラでのＥｘｉｆ情報などの付加情報であってもよい。
【図面の簡単な説明】
【０３４５】
【図１】本発明にかかる画像記録装置の概要構成を示す斜視図である。
【図２】本発明に係る画像記録装置の機能構成を示すブロック図である。
【図３】黒強調モードの選択画面である。
【図４】入力メディア毎に黒強調のＯＮ又はＯＦＦを選択する画面である。
【図５】プリントする画像単位で黒強調のＯＮ又はＯＦＦを選択する画面である。
【図６】画像記録部の機能構成を示すブロック図である。
【図７】黒強調をＯＮにする際に用いるＲ，Ｇ，ＢのＬＵＴである。
【図８】濃度の調整を多段階で行う際のＬＵＴである。
【図９】低濃度側の領域を変更したＬＵＴである。
【図１０】第１の実施形態における黒強調を行う際のフローチャートである。
【図１１】第２の実施形態における黒強調を行う際のフローチャートである。
【図１２】第３の実施形態の実施形態における黒強調を行う際のフローチャートである。
【図１３】品種・面質を選択するための画面である。
【図１４】第４の実施形態における黒強調を行う際のフローチャートである。
【図１５】現像処理の設定を選択するための画面である。
【図１６】第５の実施形態における黒強調を行う際のフローチャートである。
【図１７】第６の実施形態における黒強調を行う際のフローチャートである。
【図１８】第７の実施形態における黒強調を行う際のフローチャートである。
【図１９】黒強調設定を画像データに応じて詳細に行うために複数のチャンネルが設けられた画面である。
【図２０】シーンに応じて黒強調の詳細を設定するための画面である。
【図２１】黒強調設定を画像データに応じて詳細に行うために複数のチャンネルが設けられた画面である。
【図２２】第９の実施形態における黒強調を行う際のフローチャートである。
【符号の説明】
【０３４６】
１     画像記録装置
２     制御部
３     操作部
７     通信部
９     表示部
１０   画像書込部
１１   記憶部
１３   画像処理部
１４   画像記録部
２１   ＬＵＴ格納部
２２   出力用画像処理部
【図１】
2006103303.tif 000003
【図２】
2006103303.tif 000004
【図３】
2006103303.tif 000005
【図４】
2006103303.tif 000006
【図５】
2006103303.tif 000007
【図６】
2006103303.tif 000008
【図７】
2006103303.tif 000009
【図８】
2006103303.tif 000010
【図９】
2006103303.tif 000011
【図１０】
2006103303.tif 000012
【図１１】
2006103303.tif 000013
【図１２】
2006103303.tif 000014
【図１３】
2006103303.tif 000015
【図１４】
2006103303.tif 000016
【図１５】
2006103303.tif 000017
【図１６】
2006103303.tif 000018
【図１７】
2006103303.tif 000019
【図１８】
2006103303.tif 000020
【図１９】
2006103303.tif 000021
【図２０】
2006103303.tif 000022
【図２１】
2006103303.tif 000023
【図２２】
2006103303.tif 000024